(57)【要約】  ここに開示される本発明の実施形態は、動的レンズ構成要素からの像の飛躍を低減する装置およびシステムに対するものである。ここに開示される装置およびシステムは、眼鏡またはコンタクトレンズなどの眼用装置、および任意の他の適切な用途に使用することができる。実施形態は、外縁を有する動的パワーゾーンを備える第１装置を提供する。第１装置は、動的パワーゾーンの少なくとも一部分に光結合する静的パワーゾーンをさらに備える。静的パワーゾーンは、動的パワーゾーンの外縁の第１部分において負の光学屈折力を有する。
2013526728.tif 000002
【特許請求の範囲】
【請求項１】
外縁を有する動的パワーゾーンと、
前記動的パワーゾーンの少なくとも一部分と光結合する静的パワーゾーンであって、動的パワーゾーンの外縁の第１部分において前記静的パワーゾーンが負の光学屈折力を有する、静的パワーゾーンと、
を備える装置。
【請求項２】
前記動的パワーゾーンのほぼ中心で前記静的パワーゾーンが正の光学屈折力を有する、請求項１に記載の装置。
【請求項３】
前記静的パワーゾーンの光学屈折力輪郭が非対称である、請求項１に記載の装置。
【請求項４】
動的パワーゾーンの前記外縁から、前記外縁と垂直の方向に５ｍｍ以内において、前記静的パワーゾーンが最小光学屈折力を有する、請求項１に記載の装置。
【請求項５】
動的パワーゾーンの前記外縁から、前記外縁と垂直の方向に１ｍｍ以内において、前記静的パワーゾーンが最小光学屈折力を有する、請求項４に記載の装置。
【請求項６】
前記動的パワーゾーンの前記外縁の前記第１部分が、近距離視および遠距離視ゾーンの間に動的パワーゾーンの前記外縁の一部を備える、請求項１に記載の装置。
【請求項７】
前記動的パワーゾーンの前記外縁の前記第１部分が、近距離視および遠距離視ゾーンの間に動的パワーゾーンの前記外縁の一部のみを含む、請求項１に記載の装置。
【請求項８】
前記動的パワーゾーンの前記外縁の前記第１部分が、前記動的パワーゾーンの外縁全体を備える、請求項１に記載の装置。
【請求項９】
前記動的パワーゾーンが電気活性セグメントを備える、請求項１に記載の装置。
【請求項１０】
前記静的パワーゾーンが非球面である、請求項１に記載の装置。
【請求項１１】
前記静的パワーゾーンおよび前記動的パワーゾーンが類似した形を有する、請求項１に記載の装置。
【請求項１２】
前記静的パワーゾーンおよび前記動的パワーゾーンが同じ形を有する、請求項１に記載の装置。
【請求項１３】
前記静的パワーゾーンおよび前記動的パワーゾーンが眼用レンズ光学部品に結合されている、請求項１に記載の装置。
【請求項１４】
前記動的パワーゾーンおよび前記動的パワーゾーンの前記外縁の前記第１部分における前記静的パワーゾーンの全加入屈折力が、前記動的パワーゾーンが活性状態の場合に、約１ジオプター未満である、請求項１に記載の装置。
【請求項１５】
前記動的パワーゾーンおよび前記動的パワーゾーンの前記外縁の前記第１部分における前記静的パワーゾーンの全加入屈折力が、前記動的パワーゾーンが活性状態の場合に、約０．５ジオプター未満である、請求項１４に記載の装置。
【請求項１６】
前記静的パワーゾーンが前記動的パワーゾーンの前記外縁の前記第１部分において約−１ジオプターの最小光学屈折力を有する、請求項１に記載の装置。
【請求項１７】
前記静的パワーゾーンが、前記動的パワーゾーンの前記外縁の前記第１部分において、約−０．１〜−０．８ジオプターの範囲の光学屈折力を有する、請求項１に記載の装置。
【請求項１８】
前記静的パワーゾーンが前記動的パワーゾーンの前記外縁の前記第１部分において光学屈折力の不連続変化を提供する、請求項１に記載の装置。
【請求項１９】
前記静的パワーゾーンが平均の球面光学屈折力の連続的な変化および前記動的パワーゾーンの前記外縁の前記第１部分における非点収差を提供する、請求項１に記載の装置。
【請求項２０】
前記静的パワーゾーンが、累進多焦点面を備える、請求項１に記載の装置。
【請求項２１】
前記動的パワーゾーンと、前記動的パワーゾーンの前記外縁の前記第１部分における前記静的パワーゾーンとからの全プリズム飛躍が、前記動的パワーゾーンが活性状態の場合に約０．５ジオプター未満である、請求項１に記載の装置。
【請求項２２】
前記静的パワーゾーンおよび前記動的パワーゾーンの最大の全加入屈折力が、前記動的パワーゾーンが活性状態の場合に、少なくとも１．５ジオプターである、請求項１に記載の装置。
【請求項２３】
第１加入光学屈折力を有する動的電気活性セグメントおよび第２加入光学屈折力を有する静的加入ゾーンを備える眼用レンズであって、前記静的加入ゾーンが正の光学屈折力および負の光学屈折力に寄与する累進多焦点面を備えている、眼用レンズ。
【請求項２４】
前記静的加入ゾーンが少なくとも、前記動的電気活性セグメントの外縁の少なくとも一部分に光結合する第１部分を有する、請求項２３に記載の眼用レンズ。
【請求項２５】
前記静的加入ゾーンの前記第１部分が負の光学屈折力を有する、請求項２４に記載の眼用レンズ。
【請求項２６】
前記静的加入ゾーンの前記第１部分および前記動的電気活性セグメントの前記外縁の前記一部分の全加入光学屈折力が、前記動的電気活性セグメントが作動する場合に、１ジオプター未満である、請求項２５に記載の眼用レンズ。
【請求項２７】
前記静的加入ゾーンおよび前記動的電気活性セグメントが類似した形を有し、かつ前記眼用レンズのほぼ同じ位置に位置する、請求項２６の眼用レンズ。
【発明の詳細な説明】
【技術分野】
【０００１】
関連出願の相互参照
本願は、米国特許法第１１９条の下で、２０１０年５月２４日出願の米国特許仮出願第６１／３４７，５６２号の権利を主張し、その開示内容全体は、ここに参照として組み込まれている。
【背景技術】
【０００２】
老眼は、多くの場合老化とともに人間の眼の水晶体の調節力が失われることである。この調節力の喪失により、近距離の物体に焦点を合わせることができなくなる。老眼を矯正する標準的な用具は、多焦点の眼用レンズである。多焦点レンズは、ある距離の範囲にわたって焦点調節を矯正するための２つ以上の焦点距離（すなわち光学屈折力）を有するレンズである。多焦点の眼用レンズは、レンズの領域を光学屈折力の異なる領域に分割することによって機能する。通常、レンズの上部に位置する比較的大きい領域は、もしあれば、遠距離の視力エラーを修正する。レンズの下の部分に位置する小さい領域は、老眼によって生じる近距離の視力エラーを修正するための追加的な光学屈折力を提供する。多焦点レンズは、また中距離の視力エラーを修正するための追加的な光学屈折力を提供する、レンズの中間部分近くに位置する小さい領域を含むことができる。
【０００３】
異なる光学屈折力の領域の間の推移は、二焦点および三焦点レンズの場合は、急であるか、累進多焦点レンズの場合はまたは滑らかな、かつ連続的であるかのいずれかで有り得る。累進多焦点レンズは、レンズの遠距離視ゾーンの始めからレンズの下部の近距離視ゾーンまで連続的に増加する正の屈折光の光学屈折力の勾配を備えるタイプの多焦点レンズである。この累進する光学屈折力は、通常レンズのフィッティング・クロスまたはフィッティング・ポイントと呼ばれるところあたりから始まり、近距離視ゾーンで全加入屈折力が実現されるまで継続し、そして止まる。従来および最新の累進多焦点レンズは、この累進する光学屈折力を作るために形成されたレンズの一方または両方の外表面の表面トポグラフィーを利用している。光学工業界では、累進多焦点レンズは、複数の場合は、ＰＡＬＳ、または単数の場合はＰＡＬとして知られている。ＰＡＬレンズは、遠距離の物体から近距離の物体に、またはその逆に焦点調節する場合に連続的な視力矯正を有する、境界のない、見た目が良い多焦点レンズを使用者に提供することができるという点で従来の二焦点および三焦点レンズよりも好都合である。
【０００４】
ＰＡＬｓは現在、老眼の矯正としてアメリカ国内、および全世界に広く受け入れられ、かつ流行しているが、また深刻な視覚の妥協を有している。これらの妥協は、限定されないが、不所望の非点収差、ひずみ、および知覚不明瞭を含む。これらの視覚の妥協は、使用者の水平視覚幅に影響を及ぼす場合があり、水平視覚幅とは、所与の距離に焦点を合わせている間に横から横へ使用者が見る場合にはっきり見ることができる視野の幅である。したがって、ＰＡＬレンズは、中間距離に焦点を合わせている場合に狭い水平視覚幅を有する場合があり、コンピュータの画面の広い部分を見ることが難しくなる。同様に、ＰＡＬレンズは、近距離に焦点を合わせている場合に狭い水平視覚幅を有する場合があり、本または新聞の１ページを完全に見ることが難しくなる。遠距離視力も同様に影響を受ける場合がある。ＰＡＬレンズはまた、レンズのひずみにより、スポーツをする場合に、装着が困難になる場合がある。そのうえ、光学加入屈折力がＰＡＬレンズの下部領域に配置されるため、近距離または中距離に位置する彼または彼女の頭の上の物体を見る場合この領域を使用するのに、着用者は彼または彼女の頭を後ろに傾けなければならい。対照的に、着用者が階段を下り、かつ下方を見ると仮定する場合、足および階段をはっきり見るのに必要な遠距離焦点の代わりに、近距離焦点がレンズによって提供される。したがって、着用者の足は焦点外にあり、ぼやけて見える。これらの制限に加え、ＰＡＬの着用者の多くは、各レンズに存在するひずみの非平衡による視覚の移動（しばしば「スイム（ｓｗｉｍ）」と呼ばれる）として知られる不快な影響を受ける。実際、多くの人は、この効果によりこのようなレンズを装着することを拒んでいる。
【０００５】
老眼の人の近距離光学屈折力の必要性を考慮する場合、要求される近距離光学屈折力の量は、彼、または彼女の眼に残っている調節幅の量（近距離合焦能力）に直接関連する。通常、人が歳をとるにつれて、調節幅の量は減少する。調節幅は、また様々な健康上の理由により減少する場合がある。したがって、歳をとるにつれて、より老眼になり、近距離および中距離に合焦するために個人の能力を矯正するために必要な光学屈折力は、必要な光学加入屈折力についてはより強くなる。単なる一例として、４５歳の人は、近距離点を明瞭に見るには、＋１．００ジオプターの近距離視光学屈折力が必要である場合があり、８０歳の人は、同じ近距離点を明瞭に見るには、＋２．７５ジオプターから＋３．００ジオプターの近距離視光学屈折力が必要である場合がある。ＰＡＬレンズの視覚妥協の度合いは、光学加入屈折力に従って増加するため、より強い老眼の人は、より重大な視覚妥協を被る。上記の例において、８０歳の人より４５歳の人の彼または彼女レンズに関するひずみは低レベルなものである。容易に明らかなように、これは、弱さまたは器用さの損失などの老化に関連する生活の問題の質に寄与するのに必要とされるものと真逆である。視力機能に妥協が加わり、かつ安全性を妨げる処方の多焦点レンズは、生活をより容易、安全かつ複雑でなくするレンズとは著しく対照的なものである。
【０００６】
電気活性のセグメントを利用するような動的レンズは、眼用レンズおよび他の光学システムおよび様々な他の分野において正の加入光学屈折力を提供するために使用されてきた。多くの場合、正の加入光学屈折力を提供する動的セグメントまたはレンズは、静的光学屈折力セグメントまたは累進多焦点面のような表面に対していくつかの利点を有する。例えば、近い物体を見ないときはそれらを止める（不活性状態）ことができ、したがって累進多焦点レンズ設計によって生じるひずみを除去することができる。作動しない場合は、これらの動的レンズは、静的二焦点セグメントによって生じる像の飛躍がない。動的レンズは、電子二焦点レンズ、または二焦点または累進多焦点面などの静的多焦点光学系との光結合のどちらかとなるように使用することができる。これらの場合、静的セグメントもまた加入屈折力の一部を提供するため、動的レンズによって提供される正の加入屈折力は、光学デバイスに要求される全加入屈折力よりも小さい。
【０００７】
静的累進多焦点レンズまたは表面と光結合する電気活性セグメントなどの動的レンズ（すなわち動的パワーゾーンまたは領域）を備える光学デバイスは、低水準の不所望の非点収差、低ひずみ、より広い明瞭な視野を有することができ、かつ同等の全光学加入屈折力および距離屈折力の累進多焦点レンズと比較して、床をより明瞭に見ることができる向上した能力を提供することができる。しかし、動的パワーゾーン（例えば電気活性のセグメント）が作動する（例えばオンされる）場合、および遠くから近くを見る場合に電気活性セグメントの境界を眼が横切る場合、認識される像の飛躍が起こり得る。像の飛躍は、動的パワーゾーンが作動され、加入光学屈折力の増加を提供する場合に発生する光学的な不連続性によって起こり得る。
【０００８】
したがって、そこに光学設計の必要性があり、および単なる一例として累進多焦点レンズ面と同様に、静的加入屈折力面、セグメントまたはゾーンと光結合する動的パワーゾーン（例えば電気活性セグメント）のこのような組み合わせを許容するレンズが得られ、その結果得られたレンズは、動的パワーゾーンがオンされ、かつ光学加入屈折力が提供される場合、動的パワーセグメントまたはゾーンの周辺においてほとんど像の飛躍（例えばプリズム効果および拡大）を提供せず、同時にスイムの少ない、広い明瞭な視覚ゾーンを提供する。
【先行技術文献】
【特許文献】
【０００９】
【特許文献１】米国特許第６，５１７，２０３号明細書
【特許文献２】米国特許第６，４９１，３９４号明細書
【特許文献３】米国特許第６，６１９，７９９号明細書
【特許文献４】米国特許第７，００８，０５４号明細書
【特許文献５】米国特許第６，０４０，９４７号明細書
【特許文献６】米国特許第５，６６８，６２０号明細書
【特許文献７】米国特許第５，９９９，３２８号明細書
【特許文献８】米国特許第５，９５６，１８３号明細書
【特許文献９】米国特許第６，８９３，１２４号明細書
【特許文献１０】米国特許第４，８９０，９０３号明細書
【特許文献１１】米国特許第６，０６９，７４２号明細書
【特許文献１２】米国特許第７，０８５，０６５号明細書
【特許文献１３】米国特許第６，１８８，５２５号明細書
【特許文献１４】米国特許第６，６１８，２０８号明細書
【特許文献１５】米国特許第５，１８２，５８５号明細書
【特許文献１６】米国特許第５，２２９，８８５号明細書
【発明の概要】
【発明が解決しようとする課題】
【００１０】
ここに開示される本発明の実施形態は、動的レンズ構成要素からの像の飛躍を低減する装置およびシステムに対するものである。ここに開示される装置およびシステムは、メガネまたはコンタクトレンズなどの眼用装置および任意の他の適切な用途に使用することができる。
【課題を解決するための手段】
【００１１】
実施形態は、外縁を有する動的パワーゾーンを備える第１装置を提供する。第１装置は、少なくとも一部の動的パワーゾーンと光結合する静的パワーゾーンをさらに備える。静的パワーゾーンは、動的パワーゾーンの外縁の第１部分において負の光学屈折力を有する。
【００１２】
いくつかの実施形態では、上述した第１装置の静的パワーゾーンは、動的パワーゾーンの中心まわりに正の光学屈折力を有する。いくつかの実施形態において、静的パワーゾーンの光学屈折力輪郭は、非対称になり得る。いくつかの実施形態では、静的パワーゾーンは、動的パワーゾーンの外縁から外縁と垂直の方向に５ｍｍ以内の距離において最小の光学屈折力を有する。いくつかの実施形態では、静的パワーゾーンは、動的パワーゾーンの外縁から外縁と垂直の方向に１ｍｍ以内の距離において、最小の光学屈折力を有する。
【００１３】
いくつかの実施形態では、上述した第１装置において、動的パワーゾーンと光結合しない静的パワーゾーンの一部の光学屈折力は、光学屈折力がゼロジオプターの値に達するまで、動的パワーゾーンの外縁と垂直方向に連続的に変化する。いくつかの実施形態では、動的パワーゾーンと光結合しない静的パワーゾーンの一部の光学屈折力は、漸近的である。
【００１４】
いくつかの実施形態では、上述した第１装置において、静的パワーゾーンが負の光学屈折力を有する動的パワーゾーンの外縁の第１部分は、近距離視および遠距離視ゾーンの間に動的パワーゾーンの外縁の一部を備える。いくつかの実施形態では、静的パワーゾーンが負光学屈折力を有する動的パワーゾーンの外縁の第１部分は、近距離視および遠距離視ゾーンの間に動的パワーゾーンの外縁の一部のみを含む。いくつかの実施形態では、静的パワーゾーンが負の光学屈折力を有する動的パワーゾーンの外縁の第１部分は、動的パワーゾーンの外縁全体を備える。
【００１５】
いくつかの実施形態では、上述した第１装置において、動的パワーゾーンは、活性状態の第１光学屈折力および不活性状態の第２光学屈折力を有し、第２光学屈折力は、第１光学屈折力と異なる。いくつかの実施形態では、動的パワーゾーンは、電気活性セグメントを備える。いくつかの実施形態では、動的パワーゾーンは、流体レンズ（または領域）、気体レンズ、メニスカスレンズ、機械式レンズ、および／または電気活性セグメント（電気活性アセンブリなど）、流体レンズ、および機械式レンズの組み合わせを含むことができる。
【００１６】
いくつかの実施形態では、上述した第１装置において、静的パワーゾーンは、非球面である。いくつかの実施形態では、静的パワーゾーンおよび動的パワーゾーンは、類似の形または同じ形を有することができる。いくつかの実施形態では、静的パワーゾーンは、楕円形である。いくつかの実施形態では、静的パワーゾーンおよび動的パワーゾーンは、眼用レンズに結合される。
【００１７】
いくつかの実施形態では、上述した第１装置において、動的パワーゾーンと、静的パワーゾーンが負の光学屈折力を有する動的パワーゾーンの外縁の第１部分の静的パワーゾーンとの全加入屈折力は、動的パワーゾーンが活性状態の場合では約１ジオプター未満である。好ましくは、動的パワーゾーンおよび外縁の第１部分の静的パワーゾーンの全加入屈折力は、動的パワーゾーンが活性状態の場合は、約０．５ジオプター未満である。
【００１８】
いくつかの実施形態では、上述した第１装置において、活性状態の場合の動的パワーゾーンは、外縁の第１部分において、約０．５ジオプター以上の光学屈折力を有する。いくつかの実施形態では、活性状態の場合の動的パワーゾーンは、外縁の第１部分において約１ジオプター以上の光学屈折力を有する。いくつかの実施形態では、活性状態の場合の動的パワーゾーンは、外縁の第１部分において、約１．５ジオプター以上の光学屈折力を有する。
【００１９】
いくつかの実施形態では、上述した第１装置において、静的パワーゾーンは、動的パワーゾーンの外縁の第１部分において約−１ジオプターの最小の光学屈折力を有する。いくつかの実施形態では、静的パワーゾーンは、動的パワーゾーンの外縁の第１部分において、約−０．１〜−０．８ジオプターの範囲内の光学屈折力を有する。いくつかの実施形態では、静的パワーゾーンは、半径方向に対称な球面の光学屈折力とすることができる。いくつかの実施形態では、静的パワーゾーンは、左右対称な球面の光学屈折力である。
【００２０】
いくつかの実施形態では、上述した第１装置において、静的パワーゾーンは、動的パワーゾーンの外縁の第１部分において非連続的に変化する光学屈折力を提供する。いくつかの実施形態では、静的パワーゾーンは、動的パワーゾーンの外縁の第１部分において平均の球面光学屈折力および／または非点収差の連続的な変化を提供する。いくつかの実施形態では、静的パワーゾーンは、累進多焦点面を備える。
【００２１】
いくつかの実施形態では、上述した第１装置において、静的パワーゾーンは、動的パワーゾーンの外縁からの垂直距離が約２ｍｍ〜６ｍｍの範囲において、正の光学屈折力から負の光学屈折力への変化を有する。いくつかの実施形態では、静的パワーゾーンは、動的パワーゾーンの中心から垂直距離で約２ｍｍ〜５ｍｍの範囲で正の光学屈折力から負の光学屈折力への変化を有する。いくつかの実施形態では、静的パワーゾーンは、動的パワーゾーンの中心において約０．３〜０．５ジオプターの範囲の光学屈折力を有する。
【００２２】
いくつかの実施形態では、上述した第１装置において、静的パワーゾーンは、動的パワーゾーンの外縁の第１部分において、約０〜−３プリズムジオプターの範囲内のプリズム屈折力を有する。いくつかの実施形態では、静的パワーゾーンは、動的パワーゾーンの外縁の第１部分において、約−０．０５〜−２．５プリズムジオプターの範囲のプリズム屈折力を有する。
【００２３】
いくつかの実施形態では、動的パワーゾーンおよび動的パワーゾーンの外縁の第１部分における静的パワーゾーンの全プリズム屈折力は、動的パワーゾーンが活性状態の場合、約０．１〜１プリズムジオプターの範囲である。いくつかの実施形態では、動的パワーゾーンおよび動的パワーゾーンの外縁の第１部分における静的パワーゾーンの全プリズム屈折力は、動的パワーゾーンが活性状態の場合、約０．３〜０．７プリズムジオプターの範囲である。
【００２４】
いくつかの実施形態では、上述した第１装置において、動的パワーゾーンおよび動的パワーゾーンの外縁の第１部分における静的パワーゾーンからの全プリズム屈折力は、動的パワーゾーンが活性状態の場合、約０．５ジオプター未満である。好ましくは、全プリズム屈折力は、約０．３５ジオプター未満である。
【００２５】
いくつかの実施形態では、上述した第１装置において、静的ゾーンおよび動的パワーゾーンの全加入屈折力の最大は、動的パワーゾーンが活性状態の場合、少なくとも１ジオプターである。いくつかの実施形態では、全加入屈折力は、少なくとも１．５ジオプターである。
【００２６】
いくつかの実施形態では、上述した第１装置において、静的パワーゾーンは、約６ｘ１０−４ｍｍ−１未満の最大曲率半径を有する。静的パワーゾーンは、約４ｘ１０−４ｍｍ−１未満の最大曲率半径を有することができる。いくつかの実施形態では、静的パワーゾーンは、約−１３ｘ１０−４ｍｍ−１より大きい最小曲率半径を有する。いくつかの実施形態では、静的パワーゾーンは、約−１０ｘ１０−４ｍｍ−１より大きい最小曲率半径および約５ｘ１０−４ｍｍ−１未満の最大曲率半径を有することができる。
【００２７】
いくつかの実施形態では、上述した第１装置において、静的パワーゾーンは、約−６ｘ１０−３ｍｍより大きい最小サグ、および約６ｘ１０−３ｍｍ−１未満の最大サグを有する。いくつかの実施形態では、静的パワーゾーンは、約−３ｘ１０−３ｍｍより大きい最小サグ、および約３ｘ１０−３ｍｍ−１未満の最大サグを有する。
【００２８】
いくつかの実施形態では、第１装置は、眼用装置を備える。眼用装置は、眼鏡（または眼鏡レンズ）、コンタクトレンズ、眼内レンズ、角膜内レンズ，および角膜上レンズの任意の１つを備えることができる。
【００２９】
第１眼用レンズは、第１加入光学屈折力を有する動的電気活性セグメントおよび第２加入光学屈折力を有する静的加入ゾーンを備えて提供される。静的加入ゾーンは、正の光学屈折力および負の光学屈折力に寄与する累進多焦点面を備える。静的加入ゾーンは、動的電気活性セグメントの外縁の少なくとも一部に光結合する第１部分を少なくとも有することができる。静的加入ゾーンの第１部分は、負の光学屈折力を有することができる。
【００３０】
いくつかの実施形態では、上述した第１眼用レンズにおいて、第１部分静的加入ゾーンおよび動的電気活性のセグメントの外縁の一部の全加入光学屈折力は、動的電気活性のセグメントが作動している場合、１ジオプター未満である。好ましくは、全加入光学屈折力は、０．５ジオプター未満である。いくつかの実施形態では、静的加入ゾーンおよび動的電気活性セグメントは、類似の形を有することができ、かつ眼用レンズのほぼ同じ位置に位置する。
【００３１】
実施形態は、光学的特性を有する２つの光学ゾーンの間の境界を見る、または横切る場合、特にそれらのゾーンの１つが動的である場合におこる像の飛躍（プリズム移動および拡大の両方）および／または非点収差を低減することができる装置およびシステムを提供する。実施形態は、作動すると正の光学屈折力を有する動的パワーゾーン（電気活性セグメントなどの）の外縁の少なくとも一部に光結合する負の光学屈折力を有する静的パワー光学ゾーンを提供する。この方法において、静的パワー光学的ゾーンおよび動的パワーゾーンまたは領域の全加入屈折力は、動的パワー領域が作動する場合の外縁の光学屈折力のような大きい不連続性を有さない。つまり、静的パワーゾーンによって提供される負の光学屈折力は、動的パワーゾーンによって外縁に提供される正の光学屈折力の一部を効果的に打ち消す。これは、動的パワーゾーンの外縁でおこる負の光学的効果をいくらか低減する。さらに、静的パワーゾーンは、静的パワーゾーンの加入屈折力が増加し、かつ動的パワーゾーンの中心付近で正になるような光学屈折力輪郭を有することができ、それにより装置またはシステムの全加入屈折力に対して正の光学屈折力を寄与する。
【図面の簡単な説明】
【００３２】
【図１（ａ）】例示的な装置の側面図を示す。
【図１（ｂ）】例示的な装置の側面図を示す。
【図２】実施形態による例示的な装置を示す。
【図３】例示的な装置のｘ軸およびｙ軸に沿った光学屈折力対距離のグラフを示す。
【図４（ａ）】例示的な装置の正面図を示す。
【図４（ｂ）】例示的な装置の正面図を示す。
【図４（ｃ）】例示的な装置の正面図を示す。
【図５】例示的な装置の一部の光学屈折力対距離の３つのグラフを示す。
【図６】例示的な装置の一部の光学屈折力対距離の３つのグラフを示す。
【図７（ａ）】例示的な装置の側面図を示す。
【図７（ｂ）】例示的な装置の側面図を示す。
【図７（ｃ）】例示的な装置の側面図を示す。
【図８（ａ）】例示的な実施形態のシミュレーション結果を示す。
【図８（ｂ）】例示的な実施形態のシミュレーション結果を示す。
【図８（ｃ）】例示的な実施形態のシミュレーション結果を示す。
【図８（ｄ）】例示的な実施形態のシミュレーション結果を示す。
【図８（ｅ）】例示的な実施形態のシミュレーション結果を示す。
【図８（ｆ）】例示的な実施形態のシミュレーション結果を示す。
【図８（ｇ）】例示的な実施形態のシミュレーション結果を示す。
【図８（ｈ）】例示的な実施形態のシミュレーション結果を示す。
【図９（ａ）】例示的な実施形態のシミュレーション結果を示す。
【図９（ｂ）】例示的な実施形態のシミュレーション結果を示す。
【図９（ｃ）】例示的な実施形態のシミュレーション結果を示す。
【図９（ｄ）】例示的な実施形態のシミュレーション結果を示す。
【図９（ｅ）】例示的な実施形態のシミュレーション結果を示す。
【図９（ｆ）】例示的な実施形態のシミュレーション結果を示す。
【図９（ｇ）】例示的な実施形態のシミュレーション結果を示す。
【図９（ｈ）】例示的な実施形態のシミュレーション結果を示す。
【図１０（ａ）】例示的な実施形態のシミュレーション結果を示す。
【図１０（ｂ）】例示的な実施形態のシミュレーション結果を示す。
【図１０（ｃ）】例示的な実施形態のシミュレーション結果を示す。
【図１０（ｄ）】例示的な実施形態のシミュレーション結果を示す。
【図１０（ｅ）】例示的な実施形態のシミュレーション結果を示す。
【図１０（ｆ）】例示的な実施形態のシミュレーション結果を示す。
【図１０（ｇ）】例示的な実施形態のシミュレーション結果を示す。
【図１０（ｈ）】例示的な実施形態のシミュレーション結果を示す。
【図１１（ａ）】例示的な実施形態のシミュレーション結果を示す。
【図１１（ｂ）】例示的な実施形態のシミュレーション結果を示す。
【図１１（ｃ）】例示的な実施形態のシミュレーション結果を示す。
【図１１（ｄ）】例示的な実施形態のシミュレーション結果を示す。
【図１１（ｅ）】例示的な実施形態のシミュレーション結果を示す。
【図１１（ｆ）】例示的な実施形態のシミュレーション結果を示す。
【図１１（ｇ）】例示的な実施形態のシミュレーション結果を示す。
【図１１（ｈ）】例示的な実施形態のシミュレーション結果を示す。
【図１２（ａ）】実施形態による例示的な多焦点レンズを示す。
【図１２（ｂ）】実施形態による例示的な多焦点レンズを示す。
【図１２（ｃ）】実施形態による例示的な多焦点レンズを示す。
【発明を実施するための形態】
【００３３】
本願では、多くの眼科、検眼、および光学用語が使用されている。明確にするために、それらの定義を以下に列挙する。
【００３４】
加入屈折力（Ａｄｄ  Ｐｏｗｅｒ）：多焦点レンズにおいて近距離を明瞭に見るために要求される、遠距離視光学屈折力に追加される光学屈折力（ｏｐｔｉｃａｌ  ｐｏｗｅｒ）。例えば、ある人が近距離視のために＋２．００Ｄの加入屈折力を加えた−３．００Ｄの遠距離視処方を有している場合、多焦点レンズの近距離部分の実際の光学屈折力は、−１．００Ｄである。加入屈折力は、正の屈折力と呼ばれることがある。加入屈折力は、レンズの近視距離部分における加入屈折力に関する「近視距離加入屈折力」およびレンズの中間視距離部分における加入屈折力に関する「中間視距離加入屈折力」によってさらに特徴づけられることがある。通常、中間視距離加入屈折力は、近視距離加入屈折力の約５０％である。したがって上記の例において、ある人が、中間距離視について＋１．００Ｄの加入屈折力を有していると、多焦点レンズの中間視距離部分における実際の全光学屈折力は、−２．００Ｄである。
【００３５】
約：プラスまたはマイナス１０パーセントを含む。したがって、「約１０ｍｍ」とは、９ｍｍ〜１１ｍｍを含む意味と解されることができる。
【００３６】
混合ゾーン：レンズの周辺の縁に沿った光学屈折力の推移、それによって、第１矯正屈折力から第２矯正屈折力またはその逆で混合ゾーンを横切る光学屈折力の連続的な推移。通常、調和ゾーンは、できる限り小さい幅になるように設計される。動的視覚の周辺の縁は、動的視覚の視界を減らすように混合ゾーンを含むことができる。混合ゾーンは、装飾を充実させるため、およびまた視力の機能を強化するために利用される。混合ゾーンは、通常不所望の強い非点収差によりレンズの有効な部分として考えられていない。混合ゾーンはまた、推移ゾーンとして知られている。
【００３７】
チャネル：遠距離光学屈折力領域またはゾーンから、近距離光学屈折力領域またはゾーンへ延在する、増加する正の光学屈折力によって形成された累進多焦点レンズの領域。この光学屈折力の累進は、フィッティング・ポイントとして知られるＰＡＬの領域から始まり、近距離視ゾーンで終わる。チャネルは、通路（ｃｏｒｒｉｄｏｒ）と呼ばれることがある。
【００３８】
チャネル長：チャネル長は、フィッティング・ポイントから加入屈折力が特定の近距離視屈折力の約８５％以内となるチャネル内の位置までを測定した距離である。
【００３９】
チャネル幅：約＋１．００Ｄより上の不所望の非点収差によって囲まれたチャネルの最も狭い部分。この定義は、ＰＡＬレンズと比較した場合に、より幅の広いチャネル幅は、一般的にひずみが少なく、優れた視覚性能、向上した視覚の快適性、および着用者の容易な適合性と相関するという事実により有用である。
【００４０】
等高線図：累進多焦点レンズの不所望の非点収差の光学屈折力を測定およびプロットすることにより生成された図。等高線プロットは、様々な感度の非点収差光学屈折力で生成することができ、したがって光学設計の一部として累進多焦点レンズが所有する不所望の非点収差がどこにあるか、およびどの程度であるかという視覚的な図を提供する。このような図の分析は、通常ＰＡＬのチャネル長、チャネル幅、リーディング幅および遠距離幅を定量化するために使用される。等高線図はまた、不所望の非点収差パワー図と呼ぶことができる。これらの図はまたレンズの様々な部品における光学屈折力の測定および描画に使用することができる。
【００４１】
従来のチャネル長：眼鏡類のファッションにおける審美的な関心または流行により、垂直方向に短縮されたレンズとすることが望ましい。このようなレンズにおいて、チャネルも当然短く、従来のチャネル長は、短縮されていないＰＡＬレンズのチャネル長さを指している。これらのチャネル長は、通常、常にではないが、約１５ｍｍまたはそれ以上である。通常、より長いチャネル長とは、より広いチャネル幅およびより少ない不所望の非点収差を意味する。より長いチャネル設計は、光学屈折力がより緩やかに増加することにより遠距離矯正および近距離矯正の間の推移がより穏やかであるため、「ゆるやかな」累進に関連することが多い。
【００４２】
動的レンズ：電気的エネルギー、機械的エネルギーまたは力の印加により変更可能な光学屈折力を有するレンズ。レンズ全体が可変な光学屈折力を有するか、またはレンズの一部分、領域またはゾーンが可変な光学屈折力を有する。このようなレンズの光学屈折力は、光学屈折力が、２つ以上の光学屈折力の間で切り替えられるように、動的または調節可能である。切り替えは、一の光学屈折力から他への（「オフ」または不活性状態から、「オン」または活性状態へ変わるなどの）個別変化を備えることができる、または動的要素への電気的エネルギー量を変えることなどにより第１光学屈折力から第２光学屈折力への連続的な変化を備えることができる。光学屈折力の１つは、実質的に光学屈折力がないものとすることができる。動的レンズの例は、電気活性レンズ、メニスカスレンズ、流体レンズ、１つまたは複数の構成要素を有する移動可能な動的光学部品、気体レンズ、および変形可能な部材を有する膜レンズを含む。動的レンズは、また動的光学部品、動的光学素子、動的光学ゾーン、動的パワーゾーン、または動的光学領域と呼ばれることがある。
【００４３】
遠距離基準点：レンズの遠距離処方または遠距離光学屈折力が容易に測定可能なフィッティング・クロスから約３ｍｍ〜４ｍｍ上に位置する基準点。
【００４４】
遠距離視ゾーン：使用者が遠視距離を正確に見ることができる光学屈折力を含むレンズの部分。
【００４５】
遠距離幅：０．２５Ｄの着用者の遠距離視光学屈折力矯正の光学屈折力によって明瞭な主にひずみ面矯正を提供するレンズの遠距離視部分内で最も狭い水平幅。
【００４６】
遠視距離：単なる一例としては、ある人の机の端を越えて見る場合、車を運転する場合、離れた山を見る場合、または映画を見る場合にある人が見る距離。通常この距離は、常にではないが、目から約３２インチまたはそれ以上と考えられ、遠視距離は、また遠距離および遠距離点とも呼ばれる。
【００４７】
フィッティング・クロス／フィッティング・ポイント：一旦眼鏡のフレームにレンズが取り付けられ、かつ着用者の顔に配置されて、レンズを通してまっすぐ前方を見る場合の着用者の瞳の近似位置を表すＰＡＬの基準点。フィッティング・クロス／フィッティング・ポイントは通常、常にではないが、チャネルの開始よりも２ｍｍ〜５ｍｍ垂直上方に位置する。フィッティング・クロスは、一般的に、ぴったり＋０．００ジオプター〜約＋０．１２ジオプターの範囲の非常にわずかな量の正の光学屈折力を有する。このポイントまたはクロスは、着用者の瞳に対するレンズのフィッティングの測定および／またはダブルチェックのための基準点を容易に提供することができるように、レンズ面にマークされる。マークは、レンズを患者／着用者に処方した場合に容易に除去される。
【００４８】
ハード累進多焦点レンズ：遠距離矯正および近距離矯正の間にゆるやかではなく、急な推移を有する累進多焦点レンズ。ハードＰＡＬにおいては、不所望のひずみは、フィッティング・ポイントの下にある場合があり、かつレンズの外縁まで広がっていない。ハードＰＡＬはまたより短いチャネル長およびより狭いチャネル幅を有することができる。「修正されたハード累進多焦点レンズ」は、よりゆるやかな光学屈折力推移、より長いチャネル、より広いチャネル、レンズ外縁により広がる不所望の非点収差、およびフィッティング・ポイント下のより少ない不所望の非点収差などのソフトＰＡＬの限られた数の特性を有するように修正されたハードＰＡＬである。
【００４９】
中距離視ゾーン：使用者が中間視距離を正確に見ることができる光学屈折力を含むレンズの部分。
【００５０】
中間視距離：単なる一例としては、新聞を読む場合、コンピュータで作業をする場合、シンクで皿を洗う場合、または衣類のアイロンがけをする場合に、ある人が見る距離。この距離は、通常、常にではないが、目から約１６インチおよび約３２インチの間と考えられる。中間視距離はまた中距離および中距離点と呼ばれることがある。
【００５１】
レンズ：光を集める、または発散させる任意の装置または装置の部分。装置は、静的または動的とすることができる。レンズは、屈折または回折とすることができる。レンズは、１面または両面が凹状、凸状または平面とすることができる。レンズは、球面、円柱、プリズム形、またはそれらの組み合わせとすることができる。レンズは、光学ガラス、プラスチックまたは樹脂から作ることができる。レンズはまた、光学素子、光学ゾーン、光学領域、光学屈折力領域または光学部品と呼ぶことがある。光学工業界においては、レンズは、光学屈折力がゼロでもレンズと呼ぶことができることが指摘されるべきである。
【００５２】
レンズブランク：レンズの形にすることができる光学材料で作られた装置。レンズブランクは、レンズブランクが、両外表面に光学屈折力を持たせて形成されるように仕上げることができる。レンズブランクは、レンズブランクが１つの外表面のみに光学屈折力を持たせて成形されるように半仕上げとすることができる。レンズブランクは、レンズブランクが両外表面に光学屈折力を持たせないで形成されるように未仕上げとすることができる。未仕上げまたは半仕上げのレンズブランクの表面は、自由形成と知られる製造工程によって、または従来の表面処理および研磨によって仕上げることができる。
【００５３】
低加入屈折力ＰＡＬ：着用者が近距離を明瞭に見るために必要な近加入屈折力以下の累進多焦点レンズ。
【００５４】
多焦点レンズ：２つ以上の焦点または光学屈折力を有するレンズ。このようなレンズは、静的または動的とすることができる。静的多焦点レンズの例は、二焦点レンズ、三焦点レンズまたは累進多焦点レンズを含む。動的多焦点レンズの例は、電気活性レンズを含み、それによって使用される電極のタイプ、電極に加えられる電圧、および液晶の薄層内で変化する屈折率に応じて様々な光学屈折力をレンズに作ることができる。多焦点レンズはまた、静的および動的の組み合わせとすることができる。例えば、電気活性要素を静的球面レンズ、静的単焦点レンズ、単なる一例としては累進多焦点レンズなどの静的多焦点レンズとの光結合に使用することができる。全ての場合ではないが、ほとんどは、多焦点レンズは、屈折レンズである。
【００５５】
近距離視ゾーン：使用者が近視距離を正確に見ることができる光学屈折力を含むレンズの部分。
【００５６】
近視距離：単なる一例としては、本を読む場合、針に糸を通す場合、または薬の瓶の説明を読む場合に人が見る距離。この距離は通常、常にではないが、目から約１２インチ〜約１６インチの間と考えられる。近視距離はまた、近距離および近距離点とも呼ばれる。
【００５７】
オフィス・レンズ／オフィスＰＡＬ：フィッティング・クロスの上の中距離視覚により広いチャネル幅およびまたより広いリーディング幅を提供する特別に設計された累進多焦点レンズ。これはフィッティング・クロスの上の不所望の非点収差を広げ、かつ遠距離視ゾーンをほとんど中距離視ゾーンに置き換える光学設計によって完成される。これらの特徴により、このタイプのＰＡＬは、デスクワークには良く適しているが、レンズが遠距離視領域を含んでいないため、彼または彼女の車を運転する、またはオフィスまたは家の周りを歩くのに使用することはできない。
【００５８】
眼用レンズ：眼鏡のレンズ、コンタクトレンズ、眼内レンズ、角膜内レンズおよび角膜上レンズを含む遠視矯正に適切なレンズ。
【００５９】
光結合（Ｏｐｔｉｃａｌ  Ｃｏｍｍｕｎｉｃａｔｉｏｎ）：位置合わせされた光学部品を通過する光が個々の要素の光学屈折力の合計に等しい結合光学屈折力を受けるような方法で、所与の光学屈折力の２つ以上の光学部品が位置合わせされている状態。
【００６０】
パターン化電極：適切な電圧を電極に加えることにより液晶によって作られる光学屈折力が電極の大きさ、形、および配置に関わらず回折的に作られるように、電気活性レンズに利用される電極。例えば、回折性光学的効果は、同軸環状電極を用いることによって液晶内に動的に作られることができる。
【００６１】
画素化電極：電極の大きさ、形、および配置に関わらず個別にアドレス可能な電気活性レンズに利用される電極。さらに、電極が個別にアドレス可能なため、任意のパターンの電圧を電極に加えることができる。例えば、画素化電極は、デカルト配列に配置された正方形、または長方形、または六角配列で配置された六角形とすることができる。画素化電極は、グリッドに適合する規則的な形にする必要はない。例えば、画素化電極は、各環が個別にアドレス可能である場合は同軸環とすることができる。同軸の画素化電極は、回折性光学的効果を作り出すために個別にアドレスされる。
【００６２】
累進多焦点領域：領域の第１部分に第１光学屈折力、および領域の第２部分に第２光学屈折力を有し、その間に光学屈折力の連続的な変化があるレンズの領域。例えば、レンズの領域は、領域の一端部に遠視距離光学屈折力を有することができる。光学屈折力は、領域を横切って中間視距離光学屈折力まで、そして領域の反対の端部にて近視距離光学屈折力まで正のパワーに連続的に増加する。光学屈折力が近視距離光学屈折力に達した後で、光学屈折力は、この累進多焦点領域の光学屈折力が遠視距離光学屈折力に戻るように減少することができる。累進多焦点領域は、レンズの表面にあることができる、またはレンズ内に組み込まれることができる。累進多焦点領域が表面にあり、かつ表面トポグラフィーを備える場合は、累進多焦点表面として知られている。
【００６３】
リーディング幅：着用者の近距離視光学屈折力矯正が０．２５Ｄ以内の光学屈折力によって明瞭な、最もひずみがない矯正を提供する、レンズの近距離視部分内の最も狭い水平の幅。
【００６４】
短いチャネル長：眼鏡ファッションの審美的な関心または流行により、垂直方向に短縮されたレンズとすることが望ましい場合がある。このようなレンズにおいて、チャネルは当然より短くなる。短いチャネル長は、短縮されたＰＡＬレンズにおけるチャネルの長さを指す。これらのチャネル長は通常、常にではないが、約１１ｍｍ〜約１５ｍｍの間である。一般的に、短いチャネル長は、より狭いチャネル幅およびより不所望の非点収差を意味する。より短いチャネル設計は、急に増加する光学屈折力により遠距離矯正および近距離矯正の間の推移が強いため、「ハード」累進に関連することが多い。
【００６５】
ソフト累進多焦点レンズ：遠距離矯正および近距離矯正の間の推移がより穏やかな累進多焦点レンズ。ソフトＰＡにおいて、不所望のひずみは、フィッティング・ポイントの上にあり、レンズ外縁に広がっている。ソフトＰＡＬはまた、より長いチャネル長およびより広いチャネル幅を有する。「修正されたソフト累進多焦点レンズ」は、急な光学屈折力推移、短いチャネル、狭いチャネル、レンズの見る部分に押しやられた不所望の非点収差、およびフィッティング・ポイントの下の不所望の非点収差などのハードＰＡＬの限られた数の特性を持つように修正されたソフトＰＡＬである。
【００６６】
静的レンズ：電気エネルギー、機械的エネルギーまたは力を加えることによって変更することができない光学屈折力を有するレンズ。静的レンズの例は、球面レンズ、円柱レンズ、累進多焦点レンズ、二焦点および三焦点を含む。静的レンズはまた、固定レンズと呼ばれることがある。レンズは、静的パワーゾーン、セグメント、または領域と呼ばれることがある静的な部分を備えることができる。
【００６７】
不所望の非点収差：累進多焦点レンズ内で見つかる不所望の収差、ひずみまたは非点収差であり、これらは、患者に処方された視力矯正の部分ではなく、しかし視野ゾーン間の光学屈折力の滑らかな勾配によるＰＡＬの光学設計に固有のものである。レンズは、様々な屈折力のレンズの異なる領域を横切る不所望の非点収差を有することがあるが、レンズの不所望の非点収差は一般的にレンズで見つかる最大不所望の非点収差を指す。不所望の非点収差はまた、レンズ全体とは対照的にレンズの特定の部分内に位置する不所望の非点収差を指すことがある。このような場合、言葉の修飾がレンズの特定部分内の不所望の非点収差のみが考慮されていることを示すために使用される。
【００６８】
動的レンズ（例えば動的パワーゾーン）を説明する場合、本発明は、単なる一例だが、電気活性レンズ、流体レンズ、気体レンズ、膜レンズ、および機械的に移動可能なレンズ等を考慮する。このようなレンズの例は、Ｂｌｕｍらの特許文献１、特許文献２、特許文献３、ＥｐｓｔｅｉｎおよびＫｕｒｔｉｎの特許文献４、特許文献５、特許文献６、特許文献７、特許文献８、特許文献９、Ｓｉｌｖｅｒの特許文献１０、特許文献１１、特許文献１２、特許文献１３、特許文献１４、 Ｓｔｏｎｅｒの特許文献１５、およびＱｕａｇｌｉａの特許文献１６にある。話を簡単にするために、後述の多く実施形態は、電気活性レンズの使用を指す。しかし、これは、なんら限定するものとして解釈されるべきではなく、説明された原理は、これら他のタイプの動的レンズに同等の適用性を有するものである。
【００６９】
動的レンズは、光学屈折力を光学システムの一部に追加することに使用することができる。しかし、動的レンズの使用は、動的レンズが活性状態の場合、不連続な光学屈折力を作る場合がある。これは、今度は、光学屈折力の不連続が存在する外縁に「像の飛躍」を作る。対照的に、ＰＡＬレンズは、光学屈折力の連続的な変化を提供するため、像の飛躍を最小にするために使用される場合があるが、特に強い光学加入屈折力が必要である場合はこのようなレンズ設計にする代償がある。例えば、ＰＡＬレンズ設計は、不所望の非点収差を作る。さらに、これらのひずみの大きさは、近距離加入屈折力に対する直線的な割合よりも大きく増加する。したがって、必要な場合に光学加入屈折力を提供することができる、累進多焦点面光学部品と光結合する動的パワーゾーン（例えば電気活性セグメント）の組み合わせは、これらの欠如をいくつか減らすために使用することができる。このような組み合わせは、動的レンズが要求される全加入屈折力を提供する必要がないため、電気活性セグメントが作動している場合に像の飛躍の大きさを最適化することができる。組み合わせは、このセグメントがまた要求される全加入光学屈折力を提供する必要がないため、累進多焦点面によって起こる画像ひずみおよびスイムの対応する大きさを同様に最適化することができる。しかし、このような組み合わせを利用するシステムおよびレンズでも、全てのひずみ、特に活性状態の動的レンズによって作られる像の飛躍を必ずしも除去することはできない。
【００７０】
例えば、＋２．０００Ｄの加入屈折力多焦点光学部品は、＋１．０００Ｄ累進多焦点レンズ設計に光結合する＋１．０００Ｄ電気活性ゾーンを設置することによって作ることができる。このようなレンズにおいて、着用者によって認識される像の飛躍は、＋２．０００Ｄ動的レンズのみを備えるレンズのものよりも小さくなる可能性がある。しかし、動的パワーゾーンの外縁における１．０００Ｄの光学屈折力の不連続性のため、像の飛躍はなおも存在する。このような組み合わせ光学部品のひずみおよびスイムは、全加入屈折力（すなわち＋２．０００）のレンズを提供するＰＡＬ光学構成要素のみを利用するレンズ（再度、ひずみは、直線的な割合よりも大きく増加する）によって作られるひずみおよびスイムよりも小さくすることができる。したがって、単独またはＰＡＬとの組み合わせのどちらかで動的レンズを利用することが望ましいが、このようなレンズの使用は、なおも動的ゾーンの外縁に不連続を作る場合があり、これが像の飛躍などの望ましくない特性の原因となる場合がある。
【００７１】
像の飛躍が起こる場合がある状況を説明するために、図１および例示的な多焦点レンズ１００を参照する。いくつかの光学デバイスにおいて、着用者が読むまたは近くの物体を見る、および／または下方視をする場合に、動的パワーゾーン１２０は、「オン」（すなわち活性状態）にすることができる。これは、光線１３０が瞳１４０に入っている図１（ａ）に示される。動的パワーゾーンを作動すべきかの決定は、任意の適切な方法（例えば傾きスイッチ、範囲ファインダー、手動スイッチ等によって）によってなされることができる。さらに図１（ａ）に示されるように、動的パワーゾーン１２０を備える近視ゾーン１１０は、全視野を覆うことができる。したがって、動的パワーゾーン１２０は、活性状態の場合に見る人１４０に矯正光学屈折力（または全加入屈折力の一部）を提供することができるため、見る人は、比較的近い距離の物体を観察することができる。この例示的な実施形態において、見る人のまなざしは、動的パワーゾーン１２０の外縁に向かっていない。
【００７２】
しかし、見る人１４０はまたまなざしの方向を上げることで中間の物体を見たい場合がある。これは図１（ｂ）に示されている。この場合、瞳１４０は、上部境界または外縁１５０を含む動的パワーゾーン１２０の光学エリアを走査する場合がある。そうする場合、目１４０は、この外縁１５０を横切って移動すると、一つにはこの外縁１５０を横切る光学屈折力の不連続変化のため、二重の画像および像の飛躍に気付く場合がある。これは、光学屈折力の変化に伴うプリズム効果および像の拡大の不連続変化を引き起こす。
【００７３】
ここで議論される実施形態は、動的パワーゾーン（例えば電気活性セグメント）の境界で起こるプリズム効果および像の拡大（すなわち像の飛躍）におけるこれらの不連続変化を最小にする手法および例示的な装置およびシステムを提供する。０．５００Ｄまたはそれ以下の光学屈折力の飛躍は、像の拡大の認知できる変化をほとんどもたらさないと推定される。ここに提供された実施形態は、少なくとも動的パワーゾーンの外縁に（例えば光結合して）負の光学屈折力を有する静的パワーゾーンを利用することにより、通常動的パワーゾーンの使用によって作られる光学屈折力の不連続を低減する（好ましくは０．５００Ｄより小さく）ことができる。この方法において、結合された静的パワーゾーンおよび動的パワーゾーンの外縁における不連続を低減することができ、それにより像の飛躍効果を低減することができる。
【００７４】
実施形態は、通常上述したように見る人が下方を見ること（例えば近距離視ゾーン）に関連して、加入光学屈折力を眼用装置（または他の光学デバイス）の領域に提供することを参照して下記に説明されるが、ここに開示されるシステムおよび装置は、それに限定されないことに留意しなければならない。実際、ここ議論される概念は、不連続な光学屈折力を備える多くの装置に適用できる幅広い配列を有することができる。とりわけ像の飛躍を低減するために、不連続なところに負の光学屈折力を備える静的パワーゾーンを提供することは、任意の適切な用途において利用することができる。さらに、いくつかの実施形態では、静的パワーゾーンは、正の光学屈折力を動的パワーゾーンが外縁で負の光学屈折力を有するところに提供することができる。当業者は、それによりこの概念を多くの装置に適用することができることを認識するだろう。
【００７５】
いくつかの実施形態では、像の飛躍の低減は、電気活性ゾーンに正確に光学的に位置合わせされた、電気活性ゾーンと同じ大きさおよび形の静的二焦点セグメントを追加することによって完成させることができる。正確な光学的位置合わせとは、着用者から見た場合に電気活性ゾーンの境界（すなわち外縁）を静的二焦点セグメントの境界と同じ位置に配置する、すなわち１ｍｍ以上離れていないことを意味する。いくつかの実施形態では、２つの境界が０．５ｍｍ以内で同一線上にあることが好ましい。同一線上とは、静的パワーゾーンおよび動的パワーゾーンの外縁が０．５ｍｍ以内で光結合することを意味する。
【００７６】
いくつかの実施形態では、電気活性セグメントは、電気活性セグメントの全体の大きさを最小限にしながら最大視覚快適性および視覚性能を提供するような形にすることができる。例示的な実施形態は、図２の多焦点レンズ２００に示される。いくつかの実施形態では、チャネル長２０２を好ましくは９ｍｍ〜１８ｍｍの範囲、より好ましくは９ｍｍ〜１５ｍｍの範囲に維持しながら、比較的幅広い近視ゾーンを提供するため（上記に定義されたように、チャネル長は、フィッティング・ポイント２０３および加入屈折力が約８５％内となるチャネルの位置の間の距離である）、電気活性セグメント２０１の好ましい形は、楕円である。この例示的な実施形態におけるこの電気活性ゾーン２０１によって提供される光学屈折力は、＋０．７５Ｄである。したがって、上述したように多焦点の光学部品２００の＋２．０Ｄ加入屈折力は、この＋０．７５Ｄ電気活性ゾーンを＋１．２５Ｄ加入屈折力の累進多焦点レンズに光結合して配置することによって作られることができる。いくつかの実施形態では、ＰＡＬ設計の加入屈折力ゾーンの開始は、楕円電気活性ゾーン２０１の重量中心と一致させることができる。この方法において、最大加入屈折力は、この領域（すなわち＋２．０Ｄ）に設けることができる。
【００７７】
図２に示される例示的な多焦点レンズ２００において、電気活性ゾーン２０１の外縁に０．７５Ｄの不連続がある。したがって、ここに提供されたように、いくつかの実施形態では、静的二焦点セグメントまたはゾーンは、電気活性ゾーン２０１の外縁に負の光学屈折力を有するように提供される。下に説明されるように、この静的パワーゾーンは、動的パワーゾーンが活性状態の場合に作られる像の飛躍を低減することができる。
【００７８】
いくつかの実施形態では、静的パワーゾーンは、セグメントの中心にピークパワーを有する非球面の形状とすることができる。ピークパワーとは、静的パワーゾーンによって提供された最大の加入屈折力を意味する。非球面とは、静的パワーゾーンの形が球面ではないことを意味する（非球面形状の例は、図８〜図１１を参照して説明される）。平均光学屈折力は、静的パワーセグメントまたはゾーンの境界の方向（すなわち中心から離れる方向）に下降する場合があり、かつ図３に示すように境界に達する前に負になる場合がある（詳細は以下に述べられる）。静的パワーゾーンは、楕円形状の場合などは、左右対称性を有することができる。つまり、静的パワーゾーンの中心からそれぞれ正および負の方向へｙ軸（または対応するｘ軸）から離れて位置する２点は、ほぼ同じ光学屈折力を有する。いくつかの実施形態では、静的パワーセグメントまたはゾーンは、円形セグメントまたはゾーンとして球面屈折力を半径方向に対称にすることができる。つまり、静的パワーセグメントは、中央軸から所与の距離離れた任意の点では、ほぼ同じ光学屈折力を有することができる。
【００７９】
図３を特に参照すると、図２に示す動的パワー領域に対応する例示的な静的パワーゾーンの光学屈折力輪郭が示されている。プロットは、「Ｘ軸に沿った平均屈折力」と標示されたｘ軸（すなわち図２の水平軸）に沿った静的パワーゾーンの光学屈折力および「Ｙ軸に沿った平均屈折力」と標示されたｙ軸（すなわち図２の垂直方向およびｘ軸に垂直）に沿った光学屈折力の両方を示している。静的パワーゾーンの中心は、ｘ軸が０の値で示され、光学屈折力は、０．４００Ｄ光学屈折力を有する。つまり、例示的な静的パワーゾーンは、電気活性ゾーン２０１の中心で０．４００Ｄ光学屈折力を有する。
【００８０】
上述のように、図３に示す光学屈折力は、漸近的な静的パワーゾーンを示している。ｘ軸に沿って図３のグラフを動くことは、静的パワーゾーンの中心から離れるように動くことに相当する。したがって、静的パワーゾーンの中心からｘ方向に（すなわち図１において水平に）４ｍｍの場所において、光学屈折力は、約０．００Ｄ（すなわち光学屈折力がない）であり、かつ正の光学屈折力から負の光学屈折力へ移行するプロセスにある。この例示的な静的パワーゾーンの光学屈折力輪郭の値は、表１に示される。
【表１】
2013526728.tif 000003
【００８１】
例示的な静的セグメントまたはゾーン（中心で０．４００Ｄのピークを有する）と図２に示した（０．７５Ｄの光学屈折力ピークを有する）電気活性セグメント２０１を合わせた平均球面屈折力全体のピークは、＋１．１５０Ｄであり、＋２．０００Ｄの全加入屈折力を供給するには、ＰＡＬの加入屈折力は＋０．８５０Ｄだけ必要である。図２の例示的な電気活性ゾーン２０１の境界でのパワーの飛躍は、位置に応じて０．４０Ｄ〜０．４７０Ｄの間に低減される。上述したように、０．５００Ｄまたはそれ以下の光学屈折力の飛躍は、像の拡大の認知できる変化をほとんど引き起こさないことが推定される。したがって、例示的な実施形態は、動的パワーゾーンの外縁での著しい像の飛躍を示すことなく、必要に応じ加入屈折力を提供するために、不連続な光学屈折力を有する動的パワーゾーンを利用する。さらに、例示的な実施形態において、静的二焦点セグメントまたはゾーンの導入により、セグメント境界におけるプリズム飛躍を０．３５０プリズムジオプター未満に低減させ、二重像の認知を大幅に下げる。これは、図８〜図１１を参照して以下により詳細に説明される。
【００８２】
さらにいくつかの実施形態では、静的パワーセグメント、ゾーン、または累進多焦点面の追加は、動的電気活性セグメントの外縁に光学的に位置合わせされ、かつ光結合するように配置される乱視屈折力を提供することができる。外縁における乱視屈折力は、セグメントが円形かつ球面に配置される場合に通常適用することができる静的パワーセグメント全体を介して等しくすることができる。いくつかの実施形態では、静的パワーゾーンの乱視屈折力は、変えることができ、静的パワーセグメントが楕円形の場合、または非球面上に配置される場合に通常適用することができる。この乱視屈折力は、非点収差ピークが０．１００Ｄ未満となるように、静的非球面セグメントに関連する非点収差を実質的に低減する。したがって、いくつかの実施形態では、静的セグメントが、低い加入屈折力を有し、それにしたがい小さい最大不所望の非点収差を有するＰＡＬ設計の適用性を可能とするため、電気活性セグメントがオンになった場合に、電気活性セグメントの周囲の像の飛躍の減少に加えて、合成多焦点レンズにおける非点収差は最終的に減少する。
【００８３】
上述したように、ここに使用される寸法、形、光学屈折力の例は、全て単なる例であり、何ら限定を意図しない。様々な構成要素に選択された値は、装置の意図する用途に依存することができる。
【００８４】
例示的な実施形態
追加的な実施形態を以下に説明する。ここに開示される本発明の実施形態は、動的レンズ構成要素からの像の飛躍を低減するための装置およびシステムに対するものである。ここに開示される装置およびシステムは、眼鏡またはコンタクトレンズ、および任意の他の適切な用途の眼用装置に使用することができる。
【００８５】
いくつかの実施形態では、中心で正の屈折力、および外縁で負の屈折力を有する非球面静的パワーゾーンが設けられる。静的パワーゾーンは、他の構成要素、または正の光学屈折力不連続を有するレンズまたは活性状態の動的パワーゾーンなどの光学的システムの構成要素と光結合することができる。静的パワーゾーンは、全加入光学屈折力を低減することができ、したがってレンズまたは光学的システムの正の光学屈折力の不連続の大きさを低減することができる。実施形態は、特に動的パワーゾーンの外縁において、任意の不所望の像の飛躍を低減させるという利点を有することができる。実施形態はまた、静的パワーゾーンによって提供される負の光学屈折力にある程度基づく非点収差および／またはプリズム効果を低減させることができる。
【００８６】
いくつかの実施形態では、静的パワーゾーンは、同じ形および眼用レンズ光学部品の同じ位置にある動的電気活性セグメントと同一線上とすることができる。同一線上にあることにより、電気活性ゾーンおよび静的パワーゾーンの外縁はほぼ同じ位置と考えることができる。いくつかの実施形態では、これらの各ゾーンの外縁は、１ｍｍ以内の同一線上とすることができる。好ましくは、外縁は、０．５ｍｍ以内の同一線上とすることができる。
【００８７】
いくつかの実施形態では、光学屈折力の変化（およびそれによりひずみが生じる）を備えるレンズの部分は、静的パワーゾーンおよび動的パワーゾーンの外縁が光結合する（またはほぼ光結合する）−例えば静的パワーゾーンは、実質的に動的パワーゾーンの外縁を越えて延在しない−ことにより減少する。さらに、光結合する静的パワーゾーンおよび動的パワーゾーンの外縁を設けることは、このような実施形態が、特に静的パワーゾーン自体が不連続の光学屈折力を提供する実施形態において、光学屈折力の不連続の大きさを最小にすることができるため、動的パワーゾーンの外縁における認知できる像の飛躍をさらに低減することができる。例えば、静的パワーゾーンは、外縁で−０．５００Ｄの光学屈折力を提供することを仮定する。この外縁が０．７５Ｄの加入屈折力不連続を提供する動的パワーゾーンの外縁と光結合する場合、この位置において、全加入屈折力の不連続は、０．２５Ｄに低減される。しかし、いくつかの実施形態では、外縁がほとんど光結合（すなわち１ｍｍ以内、またはより好ましくは０．５ｍｍ以内）しない場合、認知できる像の飛躍は、ほぼ動的光学的ゾーンによって提供される光学屈折力の不連続の大きさとなる場合がある。これは、図６および図７に関連して以下に詳細に説明される。
【００８８】
いくつかの実施形態では、静的パワーゾーンの外縁における負の屈折力の最大値は約−１ジオプターである。いくつかの実施形態では、静的パワーゾーンは、外縁において−０．１００〜−０．８００の範囲の負の屈折力を備える。
【００８９】
いくつかの実施形態では、静的パワーゾーンは、（動的パワーゾーンが活性状態の場合に）動的パワーゾーンの外縁において光学屈折力の不連続を見る人が感知できない（またはほとんど感知できない）値（例えば好ましくは、０．５０Ｄ未満）になおも低減する最も少ない負の光学屈折力を有することが好都合である場合がある。これは、動的パワーゾーンが不活性状態の場合に、静的パワーゾーン自体が光学屈折力の不連続を作り出す場合があるためである。つまり、いくつかの実施形態では、動的パワーゾーンが不活性の場合に、領域においてレンズの全加入屈折力に貢献しない場合がある。静的パワーゾーンが例えば−０．５０Ｄの光学屈折力を有している（および静的パワーゾーンが外縁において不連続な光学屈折力を提供する）場合、これは、約０．５０Ｄの不連続を作り出す。したがって、いくつかの実施形態では、静的パワーゾーンによって提供される光学屈折力の大きさを制限することが都合が良い場合があり、動的パワーゾーンが不活性状態の場合に像の飛躍は、最低限となる（好ましくは少なくとも拡大に関しては感知できない）。
【００９０】
いくつかの実施形態では、静的パワーゾーンは、楕円形である。上述したように、楕円は、チャネル長に影響を及ぼすことなく幅広い視野を提供することができるため、いくつかの実施形態では理想的である。しかし、静的パワーゾーンは、任意の形または大きさとすることができる。実際、静的パワーゾーンの理想の形および大きさは、動的パワーゾーンの形および大きさ、および／または見る人の光学的必要性に基づくことができる。これは、図４（ａ）〜図４（ｃ）を参照して以下に詳細に説明される。
【００９１】
いくつかの実施形態では、静的パワーゾーンは、外縁において光学屈折力の不連続変化を提供する。上記に説明したように、いくつかの実施形態では静的パワーゾーンは、活性状態の場合の動的パワーゾーンによって作られる不連続を低減させるように、不連続の光学屈折力を提供することが好ましい。この点において、静的パワーゾーンおよび動的パワーゾーンの外縁は、光結合することが好ましい。いくつかの実施形態では、静的パワーゾーンは、外縁において平均球面屈折力および非点収差の連続的な変化を提供することができる。このような組み込みの例は、図３を参照して上記に説明された。連続的および不連続的な実施形態の両方は、図６および図７を参照して以下に詳細に説明される。
【００９２】
いくつかの実施形態では、眼用レンズは、第１加入屈折力を有する動的電気活性セグメントおよび第２加入屈折力を有する静的加入ゾーンを備えて提供される。静的加入ゾーンは、正の光学屈折力および負の光学屈折力に寄与する累進多焦点面を備える。この実施形態は、図４（ｃ）に図示され、以下に詳細に説明される。この実施形態は、静的パワーゾーンが動的パワーゾーンの外縁において負の光学屈折力を提供し、それにより動的パワーゾーンが活性状態の場合に光学屈折力の不連続を低減することができるという利点を提供することができる。静的パワーゾーンはまた、静的パワーゾーンが近視力矯正に必要な追加のパワーを寄与するように、中心にまたは中心近辺で動的パワーゾーンに光結合するレンズの部分に正の光学屈折力を提供することができる。いくつかの実施形態では、静的パワーゾーンおよび動的パワーゾーンの正の加入屈折力の組み合わせが、追加的なＰＡＬ表面に必要な光学屈折力を低減する場合があり、ハードＰＡＬよりもひずみを少なくするよりソフトなＰＡＬ設計を可能にする。さらに、累進多焦点面を備える静的パワーゾーンは、静的パワーゾーン自体が光学屈折力の不連続を作り出さないという利点を提供する。
【００９３】
いくつかの実施形態では、外縁を有する動的パワーゾーンを備える第１装置が設けられる。外縁は、活性状態の場合に光学屈折力を提供する動的パワーゾーンの最外セグメントを備えることができる。第１装置は、動的パワーゾーンの少なくとも一部に光結合する静的パワーゾーンをさらに備える。例えば、静的パワーゾーンは、動的パワーゾーン全体またはそのセグメントのみに光結合することができる。さらに、静的パワーゾーンは、動的パワーゾーンの外縁の第１部分に負の光学屈折力を有する。
【００９４】
上述したように、一般的に、レンズまたは他の光学デバイスに光学屈折力を追加するために動的パワーゾーン（電気活性セグメントなど）を利用する場合、光学屈折力の不連続が生じることが多い。この不連続は、特にこのような動的領域の外縁において、レンズに像の飛躍および非点収差などのひずみを作り出すことがある。動的パワーゾーンに光結合する負の光学屈折力（および特に光学屈折力不連続が存在する外縁の少なくとも一部）を有する静的パワーゾーンを設けることにより、ここに提供される実施形態は、動的パワーゾーンの外縁の、または外縁近くの物体を見る場合に見る人が感じる像の飛躍を低減することができる。
【００９５】
いくつかの実施形態では、上述したような第１装置において、静的パワーゾーンは、動的パワーゾーンのほぼ中心に正の光学屈折力を有する。この方法において、静的パワーゾーンは、見るエリアに必要な全加入屈折力に貢献することができる。いくつかの実施形態では、静的パワーゾーンの加入屈折力は、非対称とすることができる。このような実施形態の例は、図８〜図１１に示される。この非対称は、動的パワーゾーン（またはまた静的パワーゾーンに光結合するＰＡＬ面などの他の構成要素）によって作られる像の飛躍および非点収差などのひずみ効果を低減することができる様々な特性の静的パワーゾーンを提供することができる。
【００９６】
いくつかの実施形態では、静的パワーゾーンは、動的パワーゾーンの外縁から外縁と垂直な方向に５ｍｍ以内の距離に最小加入屈折力を有する。つまり、静的パワーゾーンは、動的パワーゾーンの外縁の５ｍｍ以内に最小値（すなわち最大の絶対値を有する負の光学屈折力）を有することができる。上述のように、いくつかの実施形態では、静的パワーゾーンは、動的パワーゾーンの外縁との光結合近くに大きい負の光学屈折力を有することが都合が良く、作動する場合の動的ゾーンによって作られる不連続を低減することができる。この点において、いくつかの実施形態では、静的パワーゾーンは、動的パワーゾーンの外縁から外縁と垂直な方向に１ｍｍ以内の距離において最小加入屈折力を有する。
【００９７】
いくつかの実施形態では、上述したような第１装置において、動的パワーゾーンに光結合しない静的パワーゾーン部分の加入屈折力は、動的パワーゾーンの外縁と垂直な方向に、加入屈折力が０ジオプターの値になるまで連続的に変化する。例が図３に示され、静的パワーゾーンは、ｘ軸（すなわち１０ｍｍを越える）およびｙ軸（すなわち６ｍｍを越える）の両方で動的パワーゾーンの外縁を越えて延在する光学屈折力を有する。このような実施形態における静的パワーゾーンは、それにより動的パワーゾーンが不活性状態の場合に光学屈折力不連続を作り出さない。さらに、いくつかの例では、静的パワーゾーンの光学屈折力輪郭が動的パワー領域の外縁で、または外縁近くで指数関数的に増加することが望ましく、見る人によって認識される像の飛躍は、低減される。つまり、光学屈折力輪郭が連続的に変化し、かつ動的パワー領域の外縁を越えて延在し（すなわち外縁において不連続がない）認識される像の飛躍を低減する場合、いくつかの実施形態では、光学屈折力が動的パワー領域の外縁で、または外縁近くにおいて、短い距離で急に増加することが好ましい。いくつかの実施形態では、動的パワーゾーンに光結合しない静的パワーゾーンの部分の加入屈折力は、漸近的である。例えば、動的パワーゾーンの外縁を越えて延在する静的パワーゾーンの部分は、ゼロの値に達することができるが、実際にはその値に達しない。
【００９８】
いくつかの実施形態では、上述したような第１装置において、静的パワーゾーンが負の光学屈折力を有する動的パワーゾーンの外縁の第１部分は、近距離視および遠距離視ゾーンの間に動的パワーゾーンの外縁の一部を備える。つまり、いくつかの実施形態では、静的パワーゾーンは、必ずしもではないが、動的パワーゾーンの外縁全体に光結合する。上述したように、図１を参照すると、像の飛躍が起こる最も一般的な境界面は、見る人が近距離視ゾーンから中間または遠距離視ゾーンへその視線を調整する場合である。静的パワーゾーンは、それにより、光学屈折力の不連続を低減するために負の光学屈折力を有することにより動的パワーゾーンのこの外縁に対処することに利用される。いくつかの実施形態では、動的パワーゾーンはまた、近視および中間視距離の間にない動的パワーゾーンの外縁の一部に光結合することができるが、この部分の外縁において負の光学屈折力を有してもよい、または有さなくても良い。再度述べるが、近距離視および中間距離視ゾーンの間のこの位置は、光学デバイスにおいて見る人によって像の飛躍が認識される最も一般的な位置であるため、実施形態は特に、この位置においてひずみを低減するように設計することができる。例えば、いくつかの実施形態では、静的パワーゾーンが負の光学屈折力を有する動的パワーゾーンの外縁の第１部分は、近距離視および遠距離視ゾーンの間で動的パワーゾーンの外縁の一部のみを含む。しかし、上述のように、いくつかの実施形態では、静的パワーゾーンが負の光学屈折力を有する動的パワーゾーンの外縁の第１部分は、動的パワーゾーンの外縁全体を備える。このような実施形態は、動的パワーゾーンの外縁での像の飛躍だけでなく、動的パワーゾーンまたは装置の他の構成要素（また静的パワーゾーンに光結合するＰＡＬ面など）のいずれかによって作られる非点収差およびプリズム効果などの他のひずみの両方に対処することが望まれる場合に好ましい。
【００９９】
いくつかの実施形態では、上述したような第１装置において、動的パワーゾーンは、活性状態の第１光学屈折力、および不活性状態の第２光学屈折力を有し、第２光学屈折力は、第１光学屈折力とは異なる。例えば、第１光学屈折力は、光学屈折力なし（すなわち０．００ジオプター）とすることができ、かつ第２光学屈折力は、正または負の値（例えば１．００Ｄまたは−１．００Ｄ）を有することができる。いくつかの実施形態では、動的パワーゾーンは、電気活性セグメントを備える。いくつかの実施形態では、動的パワーゾーンは、流体レンズ、機械的なレンズ、膜レンズ、気体レンズ、および／または電気活性セグメント（電気活性アセンブリなど）流体レンズ、気体レンズ、膜レンズ、および機械的なレンズの組み合わせを含むことができる。実際、ここに説明される実施形態は、任意の動的レンズなどの任意の光学的構成要素によって作られる光学屈折力の不連続に対処することができる。
【０１００】
いくつかの実施形態では、上述したような第１装置において、静的パワーゾーンは、非球面である。上述のように、これは、領域の形が球面ではないことを単に意味する（例は、図８〜図１１に示される）。この形状は、静的パワーゾーンの非対称な光学屈折力輪郭にある程度寄与することができる。いくつかの実施形態では、静的パワーゾーンおよび動的パワーゾーンは、類似した形または同じ形を有することができる。この「形」により、動的パワーゾーンの外縁および静的パワーゾーンの外縁が類似した形を形成する（すなわち光結合する各ゾーンの領域がほぼ同じである）ことを意味する。これは、図４（ａ）を参照して示され、かつ説明される。上述のように、静的パワーゾーンの形は、一部分は動的パワーゾーンの形、見る人の要求、および／またはひずみおよび像の飛躍が修正されるかどうか、およびどの程度修正されるかに基づく。例えば、いくつかの実施形態では、動的パワー領域の外縁全体に沿った像の飛躍を低減することが望ましい場合、静的パワーゾーンは、動的パワーゾーンと同じ形を有することが好ましい。いくつかの実施形態では、静的パワーゾーンは、楕円形である。いくつかの実施形態では、静的パワーゾーンおよび動的パワーゾーンは、眼用レンズ光学部品に結合される。例えば、動的パワーゾーンおよび静的パワーゾーンは、眼鏡に含まれるレンズの構成要素を形成することができる。さらに、動的パワーゾーンおよび静的パワーゾーンは、またＰＡＬ面または他の動的レンズなどの眼用デバイスに結合した他の構成要素に光結合することができる。
【０１０１】
いくつかの実施形態では、上述したような第１装置において、動的パワーゾーンおよび静的パワーゾーンが負の光学屈折力を有する動的パワーゾーンの外縁の第１部分における静的パワーゾーンの全加入屈折力は、動的パワーゾーンが活性状態の場合は約１ジオプター未満である。例えば、動的パワーゾーンの外縁の一部における静的パワーゾーンの光学屈折力が−０．５０Ｄ、および外縁での動的パワー領域の光学屈折力が０．７５Ｄの場合、（静的および動的パワーゾーンは、この位置で光結合しているため）全加入屈折力は、０．２５Ｄである（すなわち動的パワー領域からの正の加入屈折力０．７５Ｄから、静的パワー領域からの負の加入屈折力０．５０Ｄを引く）。好ましくは、動的パワーゾーンおよび外縁の第１部分における静的パワーゾーンの全加入屈折力は、動的パワーゾーンが活性状態の場合は、約０．５ジオプター未満である。上述のように、見る人のほとんどは、不連続が約０．５０Ｄ未満の場合は像の拡大における変化を感知せず、プリズム飛躍の認知もまた低減されると考えられている。
【０１０２】
いくつかの実施形態では、上述したような第１装置において、活性状態の場合の動的パワーゾーンは、その外縁（静的パワーゾーンが負の光学屈折力を有するところ）の第１部分に約０．５ジオプターより大きい光学屈折力を有する。つまり、負の光学屈折力を有する静的累進ゾーンの一部に光結合する外縁の一部の動的パワーゾーンは、０．５ジオプターまたはそれより大きい光学屈折力を有する。同様にいくつかの実施形態では、活性状態の場合の動的パワーゾーンは、その外縁の第１部分において、約１ジオプターおよび／または１．５ジオプターより大きい光学屈折力を有する。動的パワーゾーンによって提供される光学屈折力の量は、見る人および／または装置の他の光学的構成要素（任意のＰＡＬ表面など）によって要求される光学屈折力に依存することができる。さらに上述のように、光学屈折力の不連続を有する光学デバイスの一部を横切る場合に見る人によって認識されることがある像の飛躍の重大度の一部は、不連続の大きさに基づく。したがって、いくつかの実施形態では、動的パワーゾーンの光学屈折力が増加するに伴い、静的パワーゾーンの負の光学屈折力の大きさが増加することが好ましく、動的パワーゾーンの光学屈折力不連続は、知覚できる像の飛躍を低減または除去するレベルに維持される。しかし、その際、いくつかの実施形態では、動的パワーゾーンが不活性状態の場合の静的パワーゾーンの光学的な不連続も、考慮する必要がある、および制限する要因となる場合がある。
【０１０３】
いくつかの実施形態では、上述したような第１装置において、静的パワーゾーンは、動的パワーゾーンの外縁の第１部分（静的パワーゾーンが負の光学屈折力を有するところ）に約−１ジオプターの最小の光学屈折力を有する。「最小の」は、静的パワーゾーンが最も負の光学屈折力を有することを意味する。いくつかの実施形態では、静的パワーゾーンは、動的パワーゾーンの外縁の第１部分にほぼ−０．１〜−０．８ジオプターの範囲内の光学屈折力を有する。例えば、動的パワー領域の一部に沿った静的パワーゾーンの光学屈折力は、例えば位置に基づいて（すなわち近距離および中間距離視領域の間の部分のどこか、視覚領域からどのくらいの距離にこの部分があるか、など）変化することができる。上述のように、いくつかの実施形態では、静的パワーゾーンは、動的パワーゾーンが不活性ゾーンの場合に光学屈折力の不連続を作る場合があり、それにより−０．８より下の光学屈折力の範囲を有することにより、動的光学部品ゾーンが非活性の場合に、見る人の像の飛躍の許容レベルを維持することができる。
【０１０４】
いくつかの実施形態では、静的パワーゾーンは、半径方向に対称な球面光学屈折力とすることができる。つまり、中央軸（いくつかの実施形態では、これは、動的パワー領域の中心である）からの距離に対する静的パワーゾーンの光学屈折力は、方向に関わらずほぼ同じである。いくつかの実施形態では、静的パワーゾーンは、左右対称な球面の光学屈折力である。つまり、ｙ軸（またはｘ軸も同じ）の正および負の方向の静的パワーゾーンの中心からある距離に位置する２つの点はそれぞれほぼ同じ光学屈折力を有する。
【０１０５】
いくつかの実施形態では、上述したような第１装置において、静的パワーゾーンは、静的パワー領域が負の光学屈折力を有する動的パワーゾーンの外縁の第１部分において光学屈折力の不連続変化を提供する。上述のように、いくつかの実施形態では、活性状態の場合の動的パワーゾーンによって作られる不連続が低減されるように、静的パワーゾーンが不連続の光学屈折力を提供することが好ましい。この点において、いくつかの実施形態では、静的パワーゾーンおよび動的パワーゾーンの外縁が光結合することが好ましい。いくつかの実施形態では、静的パワーゾーンは、動的パワーゾーンの外縁の第１部分における平均の球面光学屈折力および／または非点収差の連続的な変化を提供する。このような組み合わせの例は、図３を参照して上記に説明された。連続的なおよび不連続の実施形態の両方は、図６および図７を参照して以下により詳細に説明される。いくつかの実施形態では、静的パワーゾーンは、累進多焦点面を備える。静的累進ゾーンは、負の値から正の値に増加する光学屈折力を有することができる。負の値は、動的パワーゾーンの第１部分に位置することができる。
【０１０６】
いくつかの実施形態では、上述したような第１装置において、静的パワーゾーンは、動的パワーゾーンの外縁から垂直にほぼ２ｍｍ〜６ｍｍの範囲の距離に正の光学屈折力から負の光学屈折力への変化を有する。つまり、静的パワーゾーンは、動的パワーゾーンの外縁に負のパワーを有することができ、（例えば動的パワーゾーンが活性状態の場合に不連続を低減するために）、かつ垂直距離が上記の範囲内において正の光学屈折力への推移を有することができる。これは、静的パワーゾーンが、動的パワーゾーンの外縁での不連続の低減すること、および近距離視ゾーンの全加入屈折力に貢献することの両方を可能にする。さらに２ｍｍ〜６ｍｍ以内の推移により、動的および静的パワー領域の大きさを減らす可能性がある。いくつかの実施形態では、静的パワーゾーンは、動的パワーゾーンの中心から垂直距離で約２ｍｍ〜５ｍｍの範囲内で正の光学屈折力から負の光学屈折力への変化を有する。いくつかの実施形態では、静的パワーゾーンの中心での光学屈折力は、約０．３〜０．５ジオプターの範囲である。静的パワーゾーンの中心に正の光学屈折力を提供することにより、静的パワーゾーンは、動的パワーゾーンの外縁において連続性を低減し（そこに位置する負の光学屈折力に一部基づき）、および必要に応じ近距離視に要求される光学屈折力に貢献する（正の光学屈折力に一部基づき）。
【０１０７】
いくつかの実施形態では、上述したような第１装置において、静的パワーゾーンは、動的パワーゾーンの外縁の第１部分（静的パワーゾーンが負の光学屈折力を有するところ）に約０〜−０．３プリズムジオプターの範囲のプリズム屈折力を有する。レンズパワーと同様にプリズムはまたジオプターで測定されるが、この測定は、異なることに留意しなければならない。「プリズム」の１ジオプター（すなわち「プリズムジオプター」）は、一筋の光をプリズムから１ｍの距離で測定した場合にそのもともとの経路から１ｃｍそらせるために要求されるプリズムに等しい。これは、図７（ｃ）に示されている。屈折力以外のプリズムの他の成分は、プリズムの方向（すなわち像が移動する方向）である。プリズム方向は、プレスクライバー方式または３６０方式の２つの方法のいずれかで特定できる。プリズム屈折力の３つの例示的な実施形態を図８（ｄ）〜図１１（ｄ）に示し、以下に説明する。いくつかの実施形態では、静的パワーゾーンは、動的パワーゾーンの外縁の第１部分に約−０．０５〜−０．２５プリズムジオプターの範囲のプリズム屈折力を有する。０．２５未満のプリズムジオプターは、通常見る人にとって知覚が難しく、したがって動的パワーゾーンが非活性の場合は、静的パワーゾーンによって作り出されるプリズムは、許容範囲内の値とすることができる。
【０１０８】
いくつかの実施形態では、動的パワーゾーンと、動的パワーゾーンの外縁の第１部分の静的パワーゾーンとの全プリズム屈折力は、動的パワーゾーンが活性状態の場合に、約０．１〜１．０プリズムジオプターの範囲である。図７（ｂ）に示すように、動的ゾーンの外縁での光学屈折力の不連続は、プリズム屈折力、すなわち二重像（像の飛躍の成分）を生じる。しかし、静的パワーゾーンによって提供された負の光学屈折力は、動的パワーゾーンの外縁によって生じるプリズム飛躍のいくらかを相殺するおよび／または修正することができる。いくつかの実施形態では、動的パワーゾーンと、動的パワーゾーンの外縁の第１部分の静的パワーゾーンとの全プリズム屈折力は、動的パワーゾーンが活性状態の場合に、約０．３〜０．８プリズムジオプターの範囲である。
【０１０９】
いくつかの実施形態では、上述したような第１装置において、動的パワーゾーンと静的パワーゾーンが負の光学屈折力を有するところの動的パワーゾーンの外縁の第１部分の静的パワーゾーンとからの全プリズム屈折力は、動的パワーゾーンが活性状態の場合に、約０．５ジオプター未満である。好ましくは、全プリズム屈折力は、約０．３５ジオプター未満である。上述のように、プリズム屈折力が小さければ、見る人がプリズム飛躍を認知できなくなり、かつ、０．５プリズムジオプター未満の値は、いくつかの実施形態では、見る人にとって許容することができる。
【０１１０】
いくつかの実施形態では、上述したような第１装置において、静的ゾーンおよび動的パワーゾーンの全加入屈折力の最大は、動的パワーゾーンが活性状態の場合に、少なくとも１ジオプターである。いくつかの実施形態では、全加入屈折力は、少なくとも１．５ジオプターである。上述したように、いくつかの実施形態では、静的パワーゾーンは、動的ゾーンの外縁における像の飛躍効果を低減するために負の光学屈折力を提供することができ、かつ例えば近距離視ゾーンの矯正に要求される全加入屈折力の一成分として動的パワーゾーンの外縁内に正の光学屈折力を提供することもできる。動的パワーゾーンのみによって１．５ジオプターの全加入屈折力が提供される場合、外縁（１．５の不連続を有する）における像の飛躍は、見る人が感知できるものになるだろう。
【０１１１】
静的パワーゾーンの例示的な実施形態は、とりわけ静的パワーゾーンの曲率半径およびサグ値を明示する図８〜図１１に提供される。サグは、非球面レンズ面などの非球面（非球面）輪郭を示す方法であることに留意しなければならないこれは、軸からの距離における頂点からの面の変位のｚ成分として定義される。図８〜図１１に示される例示的な実施形態において、頂点は、原点である（すなわち動的パワーゾーンの中心）。これらは、図によって以下により詳細に説明されるが、この議論は、説明することのみが目的であり、限定するものではないことを留意しなければならない。
【０１１２】
曲率半径は、静的パワーゾーンの光学屈折力を決定する成分である。したがって、（動的パワーゾーンの外縁のみならず、動的パワーゾーンの他の部分に光結合する位置において）所望の光学屈折力に応じて、半径の曲率は、静的パワーゾーンを横切って変化する場合がある。いくつかの実施形態では、上述したような第１装置において、静的パワーゾーンは、約６ｘ１０−４ｍｍ−１未満の最大曲率半径を有する。静的パワーゾーンは、約４ｘ１０−４ｍｍ−１未満の最大曲率半径を有することができる。いくつかの実施形態では、静的パワーゾーンは、約−１３ｘ１０−４ｍｍ−１より大きい最小の曲率半径を有する。いくつかの実施形態では、静的パワーゾーンは、約−１０ｘ１０−４ｍｍ−１より大きい最小の曲率半径および約５ｘ１０−４ｍｍ−１未満の最大曲率半径を有することができる。しかし、提供された値は、説明のみを目的としており、必要な光学屈折力の量、動的パワー領域の大きさ、および光学屈折力の一因となるレンズ材料およびレンズシステムの他の構成要素などの要因に基づく任意の許容値を含むことができる。いくつかの実施形態では、静的パワーゾーンのｚ方向の全体の大きさを減らすために曲率半径を最小にすることが好ましい。
【０１１３】
いくつかの実施形態では、上述したような第１装置において、静的パワーゾーンは、約−６ｘ１０−３ｍｍより大きい最小サグおよび約６ｘ１０−３ｍｍ−１未満の最大サグを有する。上述のように、サグは、ｚ軸（すなわちｘ軸（図２の水平軸）およびｙ軸（図３の垂直方向）に垂直の方向）の変位を示す。例示的な実施形態における頂点は、静的パワーゾーンの中心での垂直位置である。いくつかの実施形態では、静的パワーゾーンは、約−３ｘ１０−３ｍｍより大きい最小サグおよび約３ｘ１０−３ｍｍ−１未満の最大サグを有する。いくつかの実施形態では、静的パワーゾーンのｚ方向の全体として大きさを減らすために、静的パワーゾーンのサグを最小にすることが好ましい。
【０１１４】
いくつかの実施形態では、第１加入光学屈折力を有する動的電気活性セグメントおよび第２加入光学屈折力を有する静的加入ゾーンを備える第１眼用レンズが設けられる。静的加入ゾーンは、正の光学屈折力および負の光学屈折力に寄与する累進多焦点面を備える。これらの実施形態は、静的パワーゾーンに光学屈折力の連続的な変化を許容し、動的パワーゾーンが不活性状態の場合に像の飛躍が生じることを防ぐことができる。静的加入ゾーンは、動的電気活性セグメントの外縁の少なくとも一部分に光結合する少なくとも第１部分を有することができる。静的加入ゾーンの第１部分は、負の光学屈折力を有することができる。負の光学屈折力により、静的パワーゾーンは、レンズ外縁の一部に沿った加入屈折力に寄与し、光学屈折力の不連続を低減し、かつそれにより使用者によって認識される像の飛躍を低減することができる。
【０１１５】
いくつかの実施形態では、上述したような第１眼用レンズにおいて、静的加入ゾーンの第１部分および動的電気活性セグメントの外縁の一部分の全加入光学屈折力は、動的電気活性セグメントが作動する場合に、１．０ジオプター未満である。好ましくは、全加入光学屈折力は、０．５ジオプター未満である。上述のように、光学屈折力の０．５ジオプター未満の差異は、見る人にとって知覚が難しい像の拡大を引き起こす。いくつかの実施形態では、静的加入ゾーンおよび動的電気活性セグメントは、類似した形を有し、かつ眼用レンズのほぼ同じ位置に位置する。
【０１１６】
上述した特徴は、上記に開示される実施形態と合致する任意の適切な方法で組み合わせることができることが理解されるべきである。例えば、いくつかの実施形態は、光学屈折力ゾーンが０．５０Ｄ〜２．０Ｄの間の光学屈折力を有するところの動的パワーゾーンの外縁に光結合する−０．１０Ｄ〜−１．５Ｄの間の光学屈折力を有する静的パワーゾーンを利用することができる。しかし、任意の適切な組み合わせを使用することができる。さらに、光学屈折力の任意の適切な組み合わせを使用する場合、静的および動的パワーゾーンは、楕円形を含む任意の適切な形とすることができる。したがって、上述した特定の実施形態は、説明のみを目的としたものであり、限定するものと考えるべきではない。
【０１１７】
図の説明
図４〜図７はここでより詳細に説明される。図は、例示的な実施形態を表し、これは説明のみを目的としている。図は、限定することを意図しない。図は、一定の縮尺になっていないことに留意しなければならない。
【０１１８】
図４（ａ）〜図４（ｃ）は、３つの例示的な多焦点レンズを示す。多焦点レンズは、動的パワー領域４０１および静的パワー領域４０２を備える。図４（ａ）および図４（ｂ）は、動的４０１および静的４０２パワーゾーンの形が類似している実施形態を示す。図４（ａ）に示すように、静的パワーゾーン４０２は、動的パワー領域４０１よりわずかに大きい。しかし、上述のように、動的４０１および静的４０２パワーゾーンは、任意の形とすることができ、いくつかの実施形態では、同じ形および／または同一線上とすることができる。つまり、各動的４０１および静的４０２ゾーンは、レンズ４００の同じ部分に配置することができ、かつ同じ形および大きさを有する。図４（ｂ）は、静的パワーゾーン４０２の大きさが動的パワーゾーン４０１よりもわずかに小さい実施形態を示す。いくつかの実施形態では、静的パワーゾーン４０２および動的パワーゾーン４０１は、異なる大きさとすることができるが、動的パワーゾーン（または静的パワーゾーン）によって提供された光学屈折力による屈折のため、各外縁は、光結合することができる。「Ａ」および「Ｂ」間の切片は、ｙ軸上での動的パワーゾーンの外縁のｙ調整である。上述のように、いくつかの実施形態では、動的パワーゾーン４０１および静的パワーゾーン４０２の形および位置は、それぞれの（または一部の）外縁が光結合するようになっている。
【０１１９】
図４（ｃ）は、静的パワーゾーン４０２が累進多焦点面設計を備えるレンズ４００の他の実施形態を示す。ここに示すように、静的パワーゾーン４０２は、動的パワーゾーンの外縁４０１を越えて延在する。さらに、この例示的な実施形態において、静的パワーゾーン４０２は、動的パワーゾーンの外縁全体と光結合しない。したがって、示されるように、中間視および近視距離ゾーンの間の動的パワーゾーンの外縁４０１の一部において光学屈折力の不連続が減少する場合があるが、このような不連続は外縁の他の位置になおも存在する。いくつかの実施形態では、累進面を備える場合の静的パワーゾーン４０２は、動的パワーゾーンの外縁４０１に光結合する（または１ｍｍ以内）位置にある外縁を有することができる。
【０１２０】
図５および図６は、例示的な実施形態の、静的パワーゾーン、動的パワーゾーンの光学屈折力、および静的パワーゾーンおよび動的パワーゾーン（それらが光結合していると仮定して）の全加入屈折力の関係を示す一連のプロットを開示する。プロット、静的パワーゾーンの光学屈折力輪郭および静的パワーゾーンおよび動的パワーゾーンの位置関係などのここに開示される値は、説明のみを目的として開示される。
【０１２１】
図５を参照すると、多焦点レンズの中心からの距離に対する静的パワーゾーン５０１、動的パワーゾーン５０２の光学屈折力および静的および動的パワーゾーンの全加入屈折力５０３のプロットが示されている。３つのプロットを通る垂直の点線として示された距離「Ａ」は、多焦点レンズの中心から動的パワーゾーンの外縁５０２までの距離を表す。３つのプロットを通る垂直の点線として示された距離「Ｂ」は、動的パワーゾーンの外縁５０２から動的パワーゾーン５０２の中心までの距離を表す。この例示的な実施形態において、静的パワーゾーン５０１は、０．７５Ｄの最大光学屈折力および−０．７５Ｄの最小光学屈折力を有して描かれ、かつ動的パワーゾーン５０２は、１．２５Ｄの光学屈折力を有して描かれている。さらに、この実施形態における静的パワーゾーン５０１は、動的パワーゾーンの外縁５０２に光結合するよう配置された外縁を有し、およびまたその外縁において不連続を有する（すなわち０．７５Ｄ）。さらに、静的パワーゾーン５０１の光学屈折力輪郭は、非対称である。図５は、説明のみを目的としていることを再度留意しなければならない。例えばいくつかの実施形態では、静的５０１または動的５０２パワーゾーンの屈折力輪郭のどちらも、動的パワーゾーン５０２の中心周りに対称ではない場合がある。
【０１２２】
図５の例示的な実施形態に示すように、距離Ａの静的５０１および動的５０２パワーゾーンの外縁において（すなわち動的パワーゾーンの外縁で）、各ゾーンは、光学屈折力の不連続を有する。静的パワーゾーン５０１は、−０．７５Ｄの光学屈折力を有し、かつ動的パワーゾーン５０２（活性状態であると仮定して）は、１．２５Ｄの光学屈折力を有する。外縁が光結合すると仮定すると、全加入屈折力は、０．５０Ｄ（１．２５Ｄ−０．７５Ｄ）に等しい。これは、全加入屈折力輪郭５０３に示される。したがって、静的パワーゾーン５０１および動的パワーゾーン５０２を１つとった場合、それぞれは、０．７５および１．２５の光学屈折力の不連続を有するが、共にした場合は、不連続は、実際に小さくなり（０．５０Ｄ）、したがって外縁において使用者によって認識される像の飛躍の可能性も低くなる。図５に示すように、動的パワーゾーン５０２は、一定の光学屈折力を有し、したがって全加入屈折力５０３は、静的パワーゾーン５０１の光学屈折力の増加および減少をたどる。
【０１２３】
図６を参照すると、例示的な多焦点のレンズの中心からの距離に対する静的パワーゾーン６０１、動的パワーゾーン６０２の光学屈折力、および静的および動的パワーゾーンの全加入屈折力６０３のプロットが示されている。３つのプロットを通る垂直の点線として示された距離「Ａ」は、多焦点レンズの中心から動的パワーゾーンの外縁５０２までの距離を表している。３つのプロットを通る垂直の点線として示された距離「Ｂ」は、動的パワーゾーンの外縁６０２から動的パワーゾーン６０２の中心までの距離を表している。この例示的な実施形態において、静的パワーゾーン６０１は、０．７５Ｄの最大光学屈折力および−０．７５Ｄの最小光学屈折力を有して描かれ、かつ動的パワーゾーン６０２は、１．２５Ｄの光学屈折力を有して描かれている。さらに、この実施形態における静的パワーゾーン６０１は、動的パワーゾーンの外縁５０２との光結合から離れた距離に位置する外縁を有する。さらに、静的パワーゾーンは、連続的な光学屈折力輪郭を有する（すなわちその外縁において不連続がない）。さらに、静的パワーゾーン６０１の光学屈折力輪郭は、非対称である。図６は、説明のみを目的としていることに再度留意しなければならない。例えばいくつかの実施形態では、静的６０１または動的６０２パワーゾーンのパワー輪郭はどちらも動的パワーゾーン６０２の中心周りに対称ではない場合がある。
【０１２４】
図６のこの例示的な実施形態に示すように、多焦点レンズの全加入屈折力６０３は、初めに、距離「Ａ」の間動的パワーゾーンの外縁６０２に到達するまで静的パワーゾーン６０１の値をたどる。この点において（動的パワーゾーン６０２が活性状態と仮定して）、全加入光学屈折力６０３の外縁で作られた不連続がある。多焦点レンズの光学屈折力の値が、静的６０１および動的６０２パワーゾーンの全加入屈折力に等しくとも（すなわち１．２５Ｄ−０．７５Ｄ＝０．５０Ｄ）、動的パワーゾーンの外縁６０２に到達する前に、静的パワーゾーン６０１（およびしたがって全加入屈折力６０３）が初めに負（すなわちゼロではない）であるため、光学屈折力の不連続が実際に大きくなる。したがって、動的パワーゾーンの外縁より前の静的パワーゾーンの光学屈折力が約−０．７５と仮定すると、光学屈折力不連続は、（０．５０Ｄ−（−０．７５Ｄ）＝１．２５Ｄ）となり、動的パワーレンズの光学屈折力の値となる。したがって、これは、いくつかの実施形態では、静的および動的光学屈折力ゾーンの外縁が光結合することが好ましいことを示している。しかし、いくつかの実施形態では、不連続は、連続的であるが、また動的パワーゾーンの外縁に近接して指数関数的に増加する場合がある。静的パワーゾーンによって提供される負の光学屈折力の増加がより近くかつ急になるにつれ（すなわち静的パワーゾーンが動的パワーゾーンの外縁における不連続に近づくにつれ）、見る人にとって動的パワーゾーンの外縁より前の静的パワーゾーンによって提供される負の光学屈折力の間の差異が認知しにくくなる。
【０１２５】
いくつかの実施形態では、静的６０１および動的６０２パワーゾーンの外縁が厳密に光結合していなくても、例えば１ｍｍ以内にあれば、像の飛躍は見る人に認識されない（または認知されにくい）場合がある。
【０１２６】
例示的な実施形態のシミュレーション
図７〜図１１は、ここで議論されたいくつかの実施形態による例示的な多焦点レンズを開示する。これら例示的な実施形態のそれぞれは、説明を目的として開示され、なんら限定するものではないと解釈されるべきである。ここに提供された結果は、７０１として示すような特定の例示的な静的パワーゾーンを用いたシミュレーション結果である。
【０１２７】
図７（ａ）および図７（ｂ）は、多焦点レンズ７００の一部分の側面図を示す。例示的なレンズ７００は、動的パワーゾーン７０２および静的パワーゾーン７０１を備える。静的パワーゾーン７０１は、説明のみを目的として動的パワーゾーンと光結合する外縁を有するように示されている。上述のように、光結合は、位置合わせした光学部品を通過する光が個々の要素の光学屈折力の合計に等しい結合された光学屈折力を受けることと定義される。しかし、上記に開示されるように、実施形態は、それに限定されない。
【０１２８】
図７（ｂ）は、例示的なレンズ７００の拡大されたセグメントを示す。示されるように、動的パワーゾーンの外縁７０２において、光学屈折力の不連続によって起こるプリズム効果がある。光線７１０は、動的パワーゾーンの外縁７０２のちょうど外側を屈折せずに通過するが、光線７１１は、外縁で動的パワーゾーン７０２に入り屈折する。静的パワーゾーン７０１に入る前に、見る人は、像が移動することを認識する。しかし、動的パワーゾーンの外縁７０２に光結合する負の光学屈折力を備える例示的な静的パワーゾーン７０１は、光線７１１を屈折し、認識されるプリズム飛躍を除去するまたは低減する。このように、実施形態は、負の光学屈折力を有する静的パワーゾーン７０１を提供し、それにより動的パワーゾーン７０２によって作られる光学屈折力の不連続による効果を低減することができる。図７（ｃ）は、上述したように、プリズム屈折力の計算を説明したものである。動的パワーゾーン７０２が静的パワーゾーン７０１の前に描かれているが（すなわち光は、静的パワーゾーン７０１および見る人の目を通過するより前に動的パワーゾーンを通過する）、実施形態はこれに限定されないことに留意すべきである。静的パワーゾーン７０１は、レンズ７００の前または動的パワーゾーン７０２に対して任意の適切な位置に配置することができる。
【０１２９】
図８〜図１１は、多焦点レンズおよび静的パワーゾーンの４つの例示的な実施形態およびそれらの特性を示すシミュレーション結果を開示する。これら実施形態は、説明のための物であり、ここに開示される各特性のについて多くの値を使用することができることに留意すべきである。特に、本発明者らは、左右対称の静的パワーゾーン７０１の屈折力輪郭（例えば屈折力輪郭は、ｘ軸およびｙ軸に沿って独立して変化させることができる）を評価した。このような４つの例示的な輪郭がここに提供される。各例示的な輪郭は、特に像の飛躍の原因となるプリズム飛躍の低減を提供する一方で、追加的な非点収差を光学部品にもたらすことに注目すべきである。例は、ｙ光学部品の特定の領域に沿った像の飛躍の低減効果の効力を最大にするために、軸に対してｘ軸に沿って屈折力輪郭を変えることが可能であることを明示している。最適化プロセスはまた静的パワーゾーンによってもたらされる非点収差の最小化を含むことができる。結果は以下で議論される。
【０１３０】
図８（ａ）〜図１１（ａ）を参照すると、開示されるのは、例示的な実施形態のサグ輪郭の３Ｄプロットである。これは、上述のようにｚ方向の静的パワーゾーン７０１の表面の変位を示す。図８（ｂ）および（ｃ）〜図１１（ｂ）および（ｃ）は、図８（ａ）〜図１１（ａ）それぞれに示す例示的な静的パワーゾーンについての球面および乱視の光学屈折力の光学屈折力輪郭を示す。特に、プロット１０１は、球面屈折力を示し、およびプロット１０２は、乱視屈折力を示し、それぞれ図８〜図１１の例示的な実施形態の動的パワーゾーン７０２の中心からの距離に応じた屈折力である。図８（ｄ）〜図１１（ｄ）は、静的パワーゾーン７０１の外縁でのプリズム飛躍を示す。これらの各図は、動的パワーゾーン１０３、静的パワーゾーン１０４、および静的７０１および動的７０２パワーゾーンの全プリズム１０５についてのプリズム屈折力のプロットを含む。これらの各例示的な実施形態において、静的パワーゾーン１０４が外縁で負のプリズムを有しているため、全プリズム１０５は、動的パワーゾーン１０３によって作られるプリズムより小さいことに留意すべきである。
【０１３１】
図８（ｅ）〜図１１（ｅ）は、ｘ軸（実線）およびｙ軸（点線）両方に沿った例示的な静的パワーゾーン７０１の曲率プロットを示す。これらの例示的な実施形態において、静的パワーゾーン７０１は、左右対称である。図８（ｆ）〜図１１（ｆ）は、例示的な静的パワーゾーン７０１のｘ軸（実線）およびｙ軸（点線）両方に沿った２Ｄプロットのサグ輪郭を開示する（図８（ａ）〜図１１（ａ）に対応する）。最後に、図８（ｇ）および（ｈ）〜図１１（ｇ）および（ｈ）は、静的パワーゾーン７０１の例示的な実施形態についての球面屈折力および乱視屈折力方向の等高線図である。
【０１３２】
それぞれの例示的な静的電力ゾーンのいくつかの特性の概要は以下の通りである。
【０１３３】
図８（ａ）〜図８（ｈ）に開示される例示的な実施形態
【表２】
2013526728.tif 000004
【０１３４】
図９（ａ）〜図９（ｈ）に開示される例示的な実施形態
【表３】
2013526728.tif 000005
【０１３５】
図１０（ａ）〜図１０（ｈ）に開示される例示的な実施形態
【表４】
2013526728.tif 000006
【０１３６】
図１１（ａ）〜図１１（ｈ）に開示される例示的な実施形態
【表５】
2013526728.tif 000007
【０１３７】
例示的な実施形態は、静的パワーゾーンがいくつかの実施形態において２つの機能を有することができることを示す−すなわち（１）動的パワーゾーンの屈折力に対して加入屈折力ゾーンの全屈折力を増大することができる、および（２）動的パワーゾーンの外縁での像の飛躍を低減することができる。さらに光学的設計アルゴリズムは、外縁での像の飛躍に対する非点収差の最適化を可能にする。このようなアルゴリズムは、像の飛躍の異なる水準に対する静的ゾーン全体にわたる非点収差を表すメリット関数の最小化を含み、および静的ゾーン全体にわたる非点収差を最小にする像の飛躍の大きさを選択する。しかし、上述のように、最適屈折力輪郭は、動的パワーゾーンの大きさおよび動的パワーゾーンの形状を含む多くの要因に依存する。
【０１３８】
図１２（ａ）〜図１２（ｃ）は、多焦点レンズの実施形態を示す。示された実施形態において、多焦点レンズは、卵形を有し、かつ幅が約２６ｍｍ〜約３２ｍｍの間である。様々な高さの多焦点レンズが示されている。図１２（ａ）は、高さ約１４ｍｍの多焦点レンズを示す。図１２（ｂ）は、高さ約１９ｍｍの多焦点レンズを示す。図１２（ｃ）は、高さ約２４ｍｍの多焦点レンズを示す。しかし、任意の適切な形または大きさを使用することができる。
【０１３９】
電気活性の実施形態
上述のように、いくつかの実施形態では、動的レンズまたはセグメントは、電気活性要素とすることができる。しかし、本発明は、これに限定されず、任意のタイプの動的レンズを利用することができることを理解されるべきである。電気活性レンズの実施形態において、電気活性光学部品は、光学基材の表面内に組み込むことができる、または取り付けることができる。光学的基材は仕上げ、半仕上げ、または未仕上げレンズブランクとすることができる。半仕上げまたは未仕上げレンズブランクが使用される場合、レンズブランクは、１つまたは複数の光学屈折力を持たせるようにレンズ製造中に仕上げることができる。電気活性の光学部品はまた通常の光学レンズの表面内に組み込むことができる、または取り付けることができる。通常の光学レンズは、単焦点レンズまたは累進多焦点レンズまたは二焦点または三焦点レンズなどの多焦点レンズとすることができる。電気活性の光学部品は、電気活性レンズの全体視領域またはちょうどその部分に配置することができる。電気活性の光学部品は、眼鏡の電気活性レンズを縁取る光学的基材の周辺の縁から離すことができる。電気活性要素は、レンズの上部、中間または下部の近くに配置することができる。実質的に電圧が加えられない場合、電気活性の光学部品は、非活動状態であり、実質的に光学屈折力を提供しない。言い換えれば、実質的に電圧が適用されない場合、電気活性の光学部品は、それが組み込まれるまたは取り付けられた光学的基材または通常のレンズと実質的に同じ屈折率を有することができる。電圧が加えられる場合、電気活性の光学部品は、作動状態となり、光学的加入屈折力を提供する。言い換えれば、電圧が加えられる場合、電気活性の光学部品は、それが組み込まれがまたは取り付けられた光学的基材または通常のレンズとは異なる屈折率を有するように「調整される」または「スイッチが入れられる」。
【０１４０】
電気活性レンズは、通常の、または通常でない目のエラーを修正するのに使用することができる。修正は、電気活性要素、光学的基材または通常の光学的レンズまたはそれら２つの組み合わせによって作り出される。通常の目のエラーは、近視、遠視、老眼、および非点収差などの低次収差を含む。通常でない目のエラーは、眼球の層の以上によって起こることがある高次収差を含む。
【０１４１】
液晶は、電気活性光学部品の一部として使用することができ、液晶に電界を発生させることにより液晶の屈折率を変えることができる。このような電界は、１以上の電圧を液晶の両側に位置する電極に加えることにより発生させることができる。電極は、実質的に透明とすることができ、かつインジウムスズ酸化物（ＩＴＯ）または従来技術において周知の他のこのような材料などの実質的に透明な導電材料から製造することができる。液晶は、度が入らないところから、＋３．００Ｄまでの光学的加入屈折力を提供することができるように、要求される率の変化の範囲を提供することができるため、液晶ベースの電気活性光学部品は、電気活性の光学部品の部品として使用するのに特によく適している。この範囲の光学加入屈折力は、大部分の患者の老眼を矯正することが可能である。
【０１４２】
上述のように、ここに例として提供された屈折力、曲率半径、任意の寸法、および屈折率のそれぞれは、単なる一例であって、限定することを意図していない。ここに開示される実施形態は、着用者の光学的ニーズに必要なまたは所望の任意のおよび全ての遠視力矯正光学屈折力および加入光学屈折力を提供することができる。これは、例えば第１（例えば前）面、第２（例えば後）面に要求される適切な曲面、任意の含まれた光学的機構の外側の曲面、および第１レンズ構成要素に必要な適切な厚さおよび屈折率を選択することにより完成させることができる。さらに、上述のように、動的レンズの実施形態は、レンズ、両側を仕上げたレンズブランク、または自由に形成された、またはデジタル処理で表面仕上げされたもの、または最終仕上げレンズに表面仕上げされかつ磨かれたものである半仕上げレンズブランクとすることができる。
【０１４３】
上記の説明は、実例であり、限定されるものではない。本開示により、本発明の多くの変化形が当業者には明らかになるだろう。したがって，本発明の範囲は、上記の説明を参照して決定されるべきではなく、その代わりに特許請求の範囲を参照して全ての範囲またはそれと同等な範囲と共に決定されるべきである。
【０１４４】
本発明の技術的範囲を逸脱することなく、任意の実施形態からの１または複数の特徴を任意の他の実施形態の１または複数の特徴と組み合わせることができる。
【０１４５】
不定冠詞（ａ、ａｎ）、または定冠詞（ｔｈｅ）の記載は、特に明確に示されない限りは、「１つまたは複数の」を意味することを意図している。
【符号の説明】
【０１４６】
１００  多焦点レンズ
１１０  近視ゾーン
１２０  動的パワーゾーン
１３０  光線
１４０  瞳
１５０  外縁
２００  多焦点レンズ
２０１  電気活性セグメント
２０２  チャネル長
２０３  フィッティング・ポイント
４００  レンズ
４０１  動的パワーゾーン
４０２  静的パワーゾーン
５０１  静的パワーゾーン
７００  多焦点レンズ
７０１  静的パワーゾーン
７０２  動的パワーゾーン
７１０  光線
７１１  光線
【図１（ａ）】
2013526728.tif 000008
【図１（ｂ）】
2013526728.tif 000009
【図２】
2013526728.tif 000010
【図３】
2013526728.tif 000011
【図４（ａ）】
2013526728.tif 000012
【図４（ｂ）】
2013526728.tif 000013
【図４（ｃ）】
2013526728.tif 000014
【図５】
2013526728.tif 000015
【図６】
2013526728.tif 000016
【図７（ａ）−７（ｃ）】
2013526728.tif 000017
【図８（ｂ）】
2013526728.tif 000018
【図８（ｃ）】
2013526728.tif 000019
【図８（ｄ）】
2013526728.tif 000020
【図８（ｅ）】
2013526728.tif 000021
【図８（ｆ）】
2013526728.tif 000022
【図９（ｂ）】
2013526728.tif 000023
【図９（ｃ）】
2013526728.tif 000024
【図９（ｄ）】
2013526728.tif 000025
【図９（ｅ）】
2013526728.tif 000026
【図９（ｆ）】
2013526728.tif 000027
【図１０（ｂ）】
2013526728.tif 000028
【図１０（ｃ）】
2013526728.tif 000029
【図１０（ｄ）】
2013526728.tif 000030
【図１０（ｅ）】
2013526728.tif 000031
【図１０（ｆ）】
2013526728.tif 000032
【図１１（ｂ）】
2013526728.tif 000033
【図１１（ｃ）】
2013526728.tif 000034
【図１１（ｄ）】
2013526728.tif 000035
【図１１（ｅ）】
2013526728.tif 000036
【図１１（ｆ）】
2013526728.tif 000037
【図８（ａ）】
2013526728.tif 000038
【図８（ｇ）】
2013526728.tif 000039
【図８（ｈ）】
2013526728.tif 000040
【図９（ａ）】
2013526728.tif 000041
【図９（ｇ）】
2013526728.tif 000042
【図９（ｈ）】
2013526728.tif 000043
【図１０（ａ）】
2013526728.tif 000044
【図１０（ｇ）】
2013526728.tif 000045
【図１０（ｈ）】
2013526728.tif 000046
【図１１（ａ）】
2013526728.tif 000047
【図１１（ｇ）】
2013526728.tif 000048
【図１１（ｈ）】
2013526728.tif 000049
【図１２（ａ）】
2013526728.tif 000050
【図１２（ｂ）】
2013526728.tif 000051
【図１２（ｃ）】
2013526728.tif 000052
【国際調査報告】
2013526728.tif 000053
2013526728.tif 000054
2013526728.tif 000055